(57)【要約】  この出願は、ミッドアンブル指示および受信の方法および装置を開示する。方法において、第1のデバイスは、ミッドアンブル指示情報を第2のデバイスへ送信し、ミッドアンブル指示情報によって示されるミッドアンブルの持続時間はしきい値以上であり、しきい値は第2のデバイスの処理能力に関係し、第2のデバイスは、指示情報に従ってミッドアンブルを受信する。上記の方法において、第1のデバイスはミッドアンブル指示情報を第2のデバイスへ送信し、それによって、第2のデバイスは指示情報に従ってミッドアンブルを受信することが可能である。さらに、ミッドアンブルの持続時間が増加するにつれて、ミッドアンブルを処理する持続時間は著しくは増加しない。従って、ミッドアンブルの持続時間がしきい値以上であるという事実は、ミッドアンブルを受信した後、第2のデバイスが、限定された処理能力に起因して、ミッドアンブルに基づいてデータシンボルを正しく復号するための時間を有しないことがある場合を回避することを助ける。
2020532244.tif 000002
【特許請求の範囲】
【請求項１】
ミッドアンブル指示方法であって、
第1のデバイスにより、ミッドアンブル指示情報を第2のデバイスへ送信するステップであって、前記ミッドアンブル指示情報によって示されるミッドアンブル内に備えられた高効率ロング・トレーニング・フィールド(HE-LTF)シンボルの持続時間が、利用可能な集合に属する、ステップ
を備えるミッドアンブル指示方法。
【請求項２】
前記利用可能な集合が、以下、すなわち、
4つの基本シンボル持続時間である、ガードインターバル(GI)部分を除く前記HE-LTFシンボルの前記持続時間、および0.8μsであるGIの持続時間、
4つの基本シンボル持続時間である、GI部分を除く前記HE-LTFシンボルの前記持続時間、および1.6μsであるGIの持続時間、
4つの基本シンボル持続時間である、GI部分を除く前記HE-LTFシンボルの前記持続時間、および3.2μsであるGIの持続時間、
2つの基本シンボル持続時間である、GI部分を除く前記HE-LTFシンボルの前記持続時間、および0.8μsであるGIの持続時間、
2つの基本シンボル持続時間である、GI部分を除く前記HE-LTFシンボルの前記持続時間、および1.6μsであるGIの持続時間、および
2つの基本シンボル持続時間である、GI部分を除く前記HE-LTFシンボルの前記持続時間、および3.2μsであるGIの持続時間
のうちの1つ、またはそれらの任意の組み合わせを備える、請求項1に記載の方法。
【請求項３】
ミッドアンブル受信方法であって、
第2のデバイスにより、第1のデバイスによって送信されたミッドアンブル指示情報を受信するステップと、
前記第2のデバイスにより、前記ミッドアンブル指示情報によって示されるミッドアンブル内に備えられた高効率ロング・トレーニング・フィールド(HE-LTF)シンボルの持続時間が利用可能な集合に属するときのみ、受信されたミッドアンブルに基づいてチャネル推定を実行するステップと、
を備えるミッドアンブル受信方法。
【請求項４】
前記利用可能な集合が、以下、すなわち、
4つの基本シンボル持続時間である、ガードインターバル(GI)部分を除く前記HE-LTFシンボルの前記持続時間、および0.8μsであるGIの持続時間、
4つの基本シンボル持続時間である、GI部分を除く前記HE-LTFシンボルの前記持続時間、および1.6μsであるGIの持続時間、
4つの基本シンボル持続時間である、GI部分を除く前記HE-LTFシンボルの前記持続時間、および3.2μsであるGIの持続時間、
2つの基本シンボル持続時間である、GI部分を除く前記HE-LTFシンボルの前記持続時間、および0.8μsであるGIの持続時間、
2つの基本シンボル持続時間である、GI部分を除く前記HE-LTFシンボルの前記持続時間、および1.6μsであるGIの持続時間、および
2つの基本シンボル持続時間である、GI部分を除く前記HE-LTFシンボルの前記持続時間、および3.2μsであるGIの持続時間
のうちの1つ、またはそれらの組み合わせを備える、請求項3に記載の方法。
【請求項５】
ミッドアンブル指示方法であって、
第1のデバイスにより、ミッドアンブル指示情報を第2のデバイスへ送信するステップであって、前記ミッドアンブル指示情報によって示されるミッドアンブルの持続時間がしきい値以上であり、前記しきい値が前記第2のデバイスの処理能力に関係する、ステップ
を備えるミッドアンブル指示方法。
【請求項６】
前記ミッドアンブル指示情報が、前記ミッドアンブル内に備えられた高効率ロング・トレーニング・フィールド(HE-LTF)シンボルの数量を示すために使用される指示情報、およびHE-LTFシンボルの持続時間を示すために使用される指示情報を備え、前記HE-LTFシンボルの前記持続時間とHE-LTFシンボルの前記数量との積が前記事前設定されたしきい値以上であり、または
前記ミッドアンブル指示情報が、前記ミッドアンブルによって使用される空間時間ストリームの数量を示すために使用される指示情報およびHE-LTFシンボルの持続時間を示すために使用される指示情報を備える、前記ミッドアンブルの前記持続時間の指示情報を備え、前記HE-LTFシンボルの前記持続時間と前記空間時間ストリームに対応するHE-LTFシンボルの数量との積が前記事前設定されたしきい値以上である、請求項5に記載の方法。
【請求項７】
前記ミッドアンブル指示情報が、少なくとも、HE-LTFの持続時間およびガードインターバル(GI)の持続時間を示すために使用される指示情報を備え、
前記HE-LTFの前記持続時間が、2つまたは4つの基本シンボル持続時間である、請求項5または6に記載の方法。
【請求項８】
前記ミッドアンブル指示情報が、前記第1のデバイスによって決定されてプリアンブル内のHE-LTFフィールドを示すために使用される指示情報とは異なる、請求項5から7のいずれか一項に記載の方法。
【請求項９】
前記ミッドアンブル指示情報が、前記ミッドアンブルの期間フィールドを備え、前記期間フィールドが、少なくとも2つのビットを占有し、事前設定された少なくとも3つのミッドアンブル期間のうちの1つを示すために使用される、請求項5から8のいずれか一項に記載の方法。
【請求項１０】
第1のデバイスにより、ミッドアンブル指示情報を第2のデバイスへ送信する前記ステップが、
前記第1のデバイスにより、前記ミッドアンブルの期間、および／または前記HE-LTFシンボルの前記持続時間を示すために使用される前記指示情報を、空間再使用パラメータ(SRP)フィールド内の予約済みエントリを通じて前記第2のデバイスへ送信するステップ、または
前記第1のデバイスにより、前記HE-LTFシンボルの前記持続時間を示すために使用される前記指示情報を、予約済みビットを通じて前記第2のデバイスへ送信するステップ
を備える、請求項5から9のいずれか一項に記載の方法。
【請求項１１】
第1のデバイスにより、ミッドアンブル指示情報を第2のデバイスへ送信する前記ステップの前に、前記方法が、
前記第1のデバイスにより、前記第2のデバイスのミッドアンブル処理能力についての情報を取得するステップと、
前記第1のデバイスにより、前記能力情報に基づいて前記しきい値を決定するステップと、
をさらに備える、請求項5から10のいずれか一項に記載の方法。
【請求項１２】
第1のデバイスにより、ミッドアンブル指示情報を第2のデバイスへ送信する前記ステップの後、前記方法が、
前記第1のデバイスにより、ミッドアンブルを前記第2のデバイスへ送信するステップであって、前記ミッドアンブルが、合意されたミッドアンブル内に備えられた内容をパディングすることによって取得され、パディングの後の前記ミッドアンブルの持続時間が前記しきい値以上である、ステップをさらに備える、請求項5から11のいずれか一項に記載の方法。
【請求項１３】
ミッドアンブル受信方法であって、
第2のデバイスにより、第1のデバイスによって送信されたミッドアンブル指示情報を受信するステップと、
前記第2のデバイスにより、前記ミッドアンブル指示情報によって示されるミッドアンブルの持続時間がしきい値以上であるときのみ、受信されたミッドアンブルに基づいてチャネル推定を実行するステップであって、前記しきい値が前記第2のデバイスの処理能力に関係する、ステップと、
を備えるミッドアンブル受信方法。
【請求項１４】
第2のデバイスにより、第1のデバイスによって送信されたミッドアンブル指示情報を受信する前記ステップの前に、前記方法が、
前記第2のデバイスにより、前記第2のデバイスのミッドアンブル処理能力についての情報を、前記第1のデバイスへ送信するステップ
をさらに備える、請求項13に記載の方法。
【請求項１５】
ミッドアンブル指示方法であって、
第1のデバイスにより、第2のデバイスのミッドアンブル処理能力についての情報を取得するステップと、
前記第1のデバイスにより、ミッドアンブル指示情報を前記第2のデバイスへ送信するステップであって、前記ミッドアンブル指示情報によって示されるミッドアンブルの持続時間が、前記第2のデバイスの前記能力情報に基づいて決定される、ステップと、
を備えるミッドアンブル指示方法。
【請求項１６】
前記能力情報が、以下の情報、すなわち、
前記第2のデバイスによってサポートされることが可能である前記ミッドアンブルの前記持続時間の最小値、
前記第2のデバイスがシングルユーザ・ドップラーモードおよび／または拡張距離シングルユーザ・ドップラーモードをサポートすることが可能であるかどうかについての情報、
前記第2のデバイスがマルチユーザ・ドップラーモードをサポートすることが可能であるかどうかについての情報、
前記ミッドアンブルによって占有される空間時間ストリームの、前記第2のデバイスによってサポートされることが可能である最大数量、
前記ミッドアンブルによって占有されるサブキャリアの、前記第2のデバイスによってサポートされることが可能である最大数量、および
前記ミッドアンブルがL個のサブキャリアおよびK個の空間時間ストリームを占有するときに前記第2のデバイスによってサポートされることが可能である変調および符号化方式(MCS)についての情報であって、LとKの両方が1以上の整数である、情報
のうちの少なくとも1つを備える、請求項15に記載の方法。
【請求項１７】
ミッドアンブル受信方法であって、
第2のデバイスにより、前記第2のデバイスのミッドアンブル処理能力についての情報を、第1のデバイスへ送信するステップと、
前記第2のデバイスにより、前記第1のデバイスによって送信されたミッドアンブル指示情報を受信するステップであって、前記ミッドアンブル指示情報によって示されるミッドアンブルの持続時間が、前記第2のデバイスの前記能力情報に基づいて決定される、ステップと、
前記第2のデバイスにより、前記指示情報に従って前記ミッドアンブルを受信するステップと、
備えるミッドアンブル受信方法。
【請求項１８】
前記能力情報が、以下の情報、すなわち、
前記第2のデバイスによってサポートされることが可能である前記ミッドアンブルの前記持続時間の最小値、
前記第2のデバイスがシングルユーザ・ドップラーモードおよび／または拡張距離シングルユーザ・ドップラーモードをサポートすることが可能であるかどうかについての情報、
前記第2のデバイスがマルチユーザ・ドップラーモードをサポートすることが可能であるかどうかについての情報、
前記ミッドアンブルによって占有される空間時間ストリームの、前記第2のデバイスによってサポートされることが可能である最大数量、
前記ミッドアンブルによって占有されるサブキャリアの、前記第2のデバイスによってサポートされることが可能である最大数量、および
前記ミッドアンブルがL個のサブキャリアおよびK個の空間時間ストリームを占有するときに前記第2のデバイスによってサポートされることが可能である変調および符号化方式(MCS)についての情報であって、LとKの両方が1以上の整数である、情報
のうちの少なくとも1つを備える、請求項17に記載の方法。
【請求項１９】
ミッドアンブル指示方法であって、
第1のデバイスにより、ミッドアンブル指示情報を第2のデバイスへ送信するステップであって、前記ミッドアンブル指示情報が、前記第1のデバイスによって前記第2のデバイスへ送信されるプリアンブル内の高効率ロング・トレーニング・フィールド(HE-LTF)の指示情報とは異なる、ステップ
を備えるミッドアンブル指示方法。
【請求項２０】
前記ミッドアンブル指示情報によって示されるミッドアンブル内に備えられたHE-LTFシンボルの持続時間が、前記プリアンブル内のHE-LTFの指示情報によって示されるHE-LTFシンボルの持続時間とは異なる、請求項19に記載の方法。
【請求項２１】
ミッドアンブル受信方法であって、
第2のデバイスにより、第1のデバイスによって送信されたミッドアンブル指示情報を受信するステップであって、前記ミッドアンブル指示情報が、前記第1のデバイスによって前記第2のデバイスへ送信される高効率ロング・トレーニング・フィールド(HE-LTF)の指示情報とは異なる、ステップと、
前記第2のデバイスにより、前記指示情報に従って前記ミッドアンブルを受信するステップと、
を備えるミッドアンブル受信方法。
【請求項２２】
前記ミッドアンブル指示情報によって示されるミッドアンブル内に備えられたHE-LTFシンボルの持続時間が、プリアンブル内のHE-LTFの指示情報によって示されるHE-LTFシンボルの持続時間とは異なる、請求項21に記載の方法。
【請求項２３】
ミッドアンブル指示方法であって、
第1のデバイスにより、ミッドアンブル指示情報を第2のデバイスへ送信するステップであって、前記ミッドアンブル指示情報が、ミッドアンブルを受信した後、前記ミッドアンブルの後の(X+1)番目から(X+M)番目のデータシンボルを前記ミッドアンブルに基づいて復号するように、前記第2のデバイスに命令するために使用され、
Mは、前記第1のデバイスがM個ごとのデータシンボルを送信した後にミッドアンブルを送信することを表記し、Xは、前記第2のデバイスのミッドアンブル処理能力に基づいて事前合意または決定された1以上の整数である、ステップ
を備えるミッドアンブル指示方法。
【請求項２４】
ミッドアンブル受信方法であって、
第2のデバイスにより、ミッドアンブルを受信するステップと、
前記第2のデバイスにより、前記ミッドアンブルに基づいてチャネル推定を実行するステップと、
前記第2のデバイスにより、前記ミッドアンブルの後の(X+1)番目から(X+M)番目のデータシンボルをチャネル推定結果に基づいて復号するステップであって、
Mは、前記第2のデバイスがM個ごとのデータシンボルを受信した後にミッドアンブルを受信することを表記し、Xは、前記第2のデバイスのミッドアンブル処理能力に基づいて事前合意または決定された1以上の整数である、ステップと、
を備えるミッドアンブル受信方法。
【請求項２５】
デバイスであって、前記デバイスが第1のデバイスとして使用され、
ミッドアンブル指示情報を決定するように構成された処理ユニットであって、前記ミッドアンブル指示情報によって示されるミッドアンブル内に備えられた高効率ロング・トレーニング・フィールド(HE-LTF)シンボルの持続時間が、利用可能な集合に属する、処理ユニットと、
前記ミッドアンブル指示情報を第2のデバイスへ送信するように構成された送信ユニットと、
を備えるデバイス。
【請求項２６】
前記利用可能な集合が、以下、すなわち、
4つの基本シンボル持続時間である、ガードインターバル(GI)部分を除く前記HE-LTFシンボルの前記持続時間、および0.8μsであるGIの持続時間、
4つの基本シンボル持続時間である、GI部分を除く前記HE-LTFシンボルの前記持続時間、および1.6μsであるGIの持続時間、
4つの基本シンボル持続時間である、GI部分を除く前記HE-LTFシンボルの前記持続時間、および3.2μsであるGIの持続時間、
2つの基本シンボル持続時間である、GI部分を除く前記HE-LTFシンボルの前記持続時間、および0.8μsであるGIの持続時間、
2つの基本シンボル持続時間である、GI部分を除く前記HE-LTFシンボルの前記持続時間、および1.6μsであるGIの持続時間、および
2つの基本シンボル持続時間である、GI部分を除く前記HE-LTFシンボルの前記持続時間、および3.2μsであるGIの持続時間
のうちの1つ、またはそれらの任意の組み合わせを備える、請求項25に記載のデバイス。
【請求項２７】
デバイスであって、
第1のデバイスによって送信されたミッドアンブル指示情報を受信するように構成された受信ユニットと、
前記ミッドアンブル指示情報によって示されるミッドアンブル内に備えられた高効率ロング・トレーニング・フィールド(HE-LTF)シンボルの持続時間が利用可能な集合に属するときのみ、受信されたミッドアンブルに基づいてチャネル推定を実行するように構成された処理ユニットと、
を備えるデバイス。
【請求項２８】
前記利用可能な集合が、以下、すなわち、
4つの基本シンボル持続時間である、ガードインターバル(GI)部分を除く前記HE-LTFシンボルの前記持続時間、および0.8μsであるGIの持続時間、
4つの基本シンボル持続時間である、GI部分を除く前記HE-LTFシンボルの前記持続時間、および1.6μsであるGIの持続時間、
4つの基本シンボル持続時間である、GI部分を除く前記HE-LTFシンボルの前記持続時間、および3.2μsであるGIの持続時間、
2つの基本シンボル持続時間である、GI部分を除く前記HE-LTFシンボルの前記持続時間、および0.8μsであるGIの持続時間、
2つの基本シンボル持続時間である、GI部分を除く前記HE-LTFシンボルの前記持続時間、および1.6μsであるGIの持続時間、および
2つの基本シンボル持続時間である、GI部分を除く前記HE-LTFシンボルの前記持続時間、および3.2μsであるGIの持続時間
のうちの1つ、またはそれらの任意の組み合わせを備える、請求項27に記載のデバイス。
【請求項２９】
デバイスであって、前記デバイスが第1のデバイスとして使用され、
ミッドアンブル指示情報を決定するように構成された処理ユニットであって、前記ミッドアンブル指示情報によって示されるミッドアンブルの持続時間がしきい値以上であり、前記しきい値が第2のデバイスの処理能力に関係する、処理ユニットと、
前記ミッドアンブル指示情報を前記第2のデバイスへ送信するように構成された送信ユニットと、
を備えるデバイス。
【請求項３０】
デバイスであって、前記デバイスが第2のデバイスとして使用され、
第1のデバイスによって送信されたミッドアンブル指示情報を受信するように構成された受信ユニットと、
前記ミッドアンブル指示情報によって示されるミッドアンブルの持続時間がしきい値以上であるときのみ、受信されたミッドアンブルに基づいてチャネル推定を実行するように構成された処理ユニットであって、前記しきい値が前記第2のデバイスの処理能力に関係する、処理ユニットと、
を備えるデバイス。
【請求項３１】
デバイスであって、前記デバイスが第1のデバイスとして使用され、
第2のデバイスのミッドアンブル処理能力についての情報を取得し、前記能力情報に基づいてミッドアンブル指示情報を決定するように構成された処理ユニットと、
前記ミッドアンブル指示情報を前記第2のデバイスへ送信するように構成された送信ユニットと、
を備えるデバイス。
【請求項３２】
デバイスであって、前記デバイスが第2のデバイスとして使用され、
前記第2のデバイスのミッドアンブル処理能力についての情報を第1のデバイスへ送信するように構成された送信ユニットと、
前記第1のデバイスによって送信されたミッドアンブル指示情報を受信するように構成された受信ユニットであって、前記ミッドアンブル指示情報によって示されるミッドアンブルの持続時間が、前記第2のデバイスの前記能力情報に基づいて決定され、前記受信ユニットが、前記指示情報に従って前記ミッドアンブルを受信するように構成された、受信ユニットと、
を備えるデバイス。
【請求項３３】
デバイスであって、前記デバイスが第1のデバイスとして使用され、
ミッドアンブル指示情報を決定するように構成された処理ユニットと、
前記ミッドアンブル指示情報を第2のデバイスへ送信するように構成された送信ユニットであって、
前記ミッドアンブル指示情報が、前記第1のデバイスによって前記第2のデバイスへ送信されるプリアンブル内の高効率ロング・トレーニング・フィールド(HE-LTF)の指示情報とは異なる、送信ユニットと、
を備えるデバイス。
【請求項３４】
デバイスであって、前記デバイスが第2のデバイスとして使用され、
第1のデバイスによって送信されたミッドアンブル指示情報を受信するように構成された受信ユニットであって、前記ミッドアンブル指示情報が、前記第1のデバイスによって前記第2のデバイスへ送信される高効率ロング・トレーニング・フィールド(HE-LTF)の指示情報とは異なり、前記受信ユニットが、前記指示情報に従ってミッドアンブルを受信するように構成された、受信ユニットと、
前記受信されたミッドアンブルに基づいて処理を実行するように構成された処理ユニットと、
を備えるデバイス。
【請求項３５】
デバイスであって、前記デバイスが第1のデバイスとして使用され、
ミッドアンブル指示情報を決定するように構成された処理ユニットであって、前記ミッドアンブル指示情報が、ミッドアンブルを受信した後、前記ミッドアンブルの後の(X+1)番目から(X+M)番目のデータシンボルを前記ミッドアンブルに基づいて復号するように、第2のデバイスに命令するために使用され、Mは、前記第1のデバイスがM個ごとのデータシンボルを送信した後にミッドアンブルを送信することを表記し、Xは、前記第2のデバイスのミッドアンブル処理能力に基づいて事前合意または決定された1以上の整数である、処理ユニットと、
前記ミッドアンブル指示情報を前記第2のデバイスへ送信するように構成された送信ユニットと、
を備えるデバイス。
【請求項３６】
デバイスであって、前記デバイスが第2のデバイスとして使用され、
ミッドアンブルを受信するように構成された受信ユニットと、
前記ミッドアンブルに基づいてチャネル推定を実行し、前記ミッドアンブルの後の(X+1)番目から(X+M)番目のデータシンボルをチャネル推定結果に基づいて復号するように構成された処理ユニットであって、Mは、前記第2のデバイスがM個ごとのデータシンボルを受信した後にミッドアンブルを受信することを表記し、Xは、前記第2のデバイスのミッドアンブル処理能力に基づいて事前合意または決定された1以上の整数である、処理ユニットと、
を備えるデバイス。
【発明の詳細な説明】
【技術分野】
【０００１】
関係する出願への相互参照
この出願は、2017年8月31日に中国特許庁に出願された、発明の名称を「ミッドアンブル指示および受信の方法および装置」とする中国特許出願第201710776252.7号への優先権を主張し、それが全体として参照によりここに組み込まれる。
【０００２】
この出願は、無線通信技術の分野、詳細には、ミッドアンブル指示および受信の方法および装置に関係する。
【背景技術】
【０００３】
高効率無線ローカル・エリア・ネットワーク通信において、表1に表されたデータユニット構造を使用することによってデータがデバイス間で伝送されることが可能である。表1に表されたように、データユニットはレガシープリアンブルを含む。レガシープリアンブルは、レガシー・ショート・トレーニング・フィールド(legacy short training field、L-STF)、レガシー・ロング・トレーニング・フィールド(legacy long training field、L-LTF)、およびレガシーシグナル(legacy SIGNAL、L-SIG)フィールドを含む。レガシープリアンブルの後、反復レガシーシグナル(repeated L-SIG)フィールド、高効率シグナルフィールドA(high efficient SIGNAL field A、HE-SIG-A)、高効率ショート・トレーニング・フィールド(high efficient Short Training field、HE-STF)、および高効率ロング・トレーニング・フィールド(high efficient Long Training field、HE-LTF)がある。HE-LTFフィールドは、チャネル推定のために使用され、複数の空間時間ストリーム(space time stream、STS)においてチャネル推定を実行するために使用される1つ以上のHE-LTFシンボルを含んでよい。次いで、データ(Data)部分が後続し、媒体アクセス制御(medium access control、MAC)フレームを搬送するために使用される。末尾において、受信デバイスが処理のためのより長い時間を取得することを助けるために使用されるパケット拡張部(packet extension、PE)がある。
【０００４】
【表１】
2020532244.tif 000003
【０００５】
無線ローカル・エリア・ネットワーク(wireless local area network、WLAN)システムによって通常考慮されるシナリオにおいて、デバイスは比較的静的であり、具体的に言うと、ある時間期間内にチャネルが著しく変化しないことが仮定される。従って、続くデータフィールドのチャネル状態が、HE-LTFフィールドが受信されるときのチャネル状態と同じであると仮定すると、データ受信デバイスは、HE-LTFフィールドに基づいてチャネル推定を実行した後、HE-LTFフィールドに基づいて実行されるチャネル推定の結果を使用することによってデータフィールドを復号する。
【０００６】
あるデバイスの移動または近くの別のデバイスの移動がドップラー現象を引き起こすいくつかのシナリオにおいて、チャネルは時間にわたって変化する。従って、受信デバイスによる復号におけるエラーを回避するために受信デバイスがミッドアンブルに基づいてチャネル推定を再実行できるように、データシンボルの中にミッドアンブル(midamble)が挿入されるべきであることが示唆される。
【０００７】
しかしながら、ドップラーシナリオにおいて、ミッドアンブルについての様々なタイプの情報は、明示的に規定されていない。どのようにミッドアンブルを指示および受信するのかが、解決されることを緊急に必要とする課題である。
【発明の概要】
【課題を解決するための手段】
【０００８】
この出願は、第1のデバイスによって送信されたミッドアンブルに基づいて、第2のデバイスが、受信されたデータシンボルを正しく復号することを可能にするために、ミッドアンブル指示および受信の方法および装置を提供する。
【０００９】
第1の態様によれば、この出願は、
第1のデバイスにより、ミッドアンブル指示情報を第2のデバイスへ送信するステップを含む、ミッドアンブル指示方法を提供する。ミッドアンブル指示情報によって示されるミッドアンブル内に含まれるHE-LTFシンボルの持続時間は、HE-LTFシンボルの持続時間の集合に属する。
【００１０】
上記の方法において、続いて送信されるミッドアンブルの持続時間がミッドアンブルについての要件を満たすことを保証するために、ミッドアンブル指示情報によって示されるミッドアンブルの持続時間は、事前設定されたミッドアンブルの持続時間の集合に属し、ミッドアンブル指示情報は、ミッドアンブルの持続時間の集合に属さない持続時間を示すことができない。
【００１１】
可能な実装において、HE-LTFシンボルの持続時間の集合は、以下、すなわち、
4つの基本シンボル持続時間である、GI部分を除くHE-LTFシンボルの持続時間、および0.8μsであるGIの持続時間、
4つの基本シンボル持続時間である、GI部分を除くHE-LTFシンボルの持続時間、および1.6μsであるGIの持続時間、
4つの基本シンボル持続時間である、GI部分を除くHE-LTFシンボルの持続時間、および3.2μsであるGIの持続時間、
2つの基本シンボル持続時間である、GI部分を除くHE-LTFシンボルの持続時間、および0.8μsであるGIの持続時間、
2つの基本シンボル持続時間である、GI部分を除くHE-LTFシンボルの持続時間、および1.6μsであるGIの持続時間、および
2つの基本シンボル持続時間である、GI部分を除くHE-LTFシンボルの持続時間、および3.2μsであるGIの持続時間
のうちの1つ、またはそれらの任意の組み合わせを含む。
【００１２】
第2の態様によれば、この出願の一実施形態は、
第2のデバイスにより、第1のデバイスによって送信されたミッドアンブル指示情報を受信するステップを含む、ミッドアンブル受信方法を提供する。ミッドアンブル指示情報によって示されるミッドアンブル内に含まれる高効率ロング・トレーニング・フィールドHE-LTFシンボルの持続時間は、HE-LTFシンボルの持続時間の集合に属する。
【００１３】
可能な実装において、HE-LTFシンボルの持続時間の集合は、以下、すなわち、
4つの基本シンボル持続時間である、GI部分を除くHE-LTFシンボルの持続時間、および0.8μsであるGIの持続時間、
4つの基本シンボル持続時間である、GI部分を除くHE-LTFシンボルの持続時間、および1.6μsであるGIの持続時間、
4つの基本シンボル持続時間である、GI部分を除くHE-LTFシンボルの持続時間、および3.2μsであるGIの持続時間、
2つの基本シンボル持続時間である、GI部分を除くHE-LTFシンボルの持続時間、および0.8μsであるGIの持続時間、
2つの基本シンボル持続時間である、GI部分を除くHE-LTFシンボルの持続時間、および1.6μsであるGIの持続時間、および
2つの基本シンボル持続時間である、GI部分を除くHE-LTFシンボルの持続時間、および3.2μsであるGIの持続時間
のうちの1つ、またはそれらの組み合わせを含む。
【００１４】
第3の態様によれば、この出願は、
第1のデバイスにより、ミッドアンブル指示情報を第2のデバイスへ送信するステップを含む、ミッドアンブル指示方法を提供する。ミッドアンブル指示情報によって示されるミッドアンブルの持続時間はしきい値以上であり、しきい値は第2のデバイスの処理能力に関係する。
【００１５】
上記の方法において、第1のデバイスはミッドアンブル指示情報を第2のデバイスへ送信し、それによって、第2のデバイスは指示情報に従ってミッドアンブルを受信することが可能である。さらに、ミッドアンブルの持続時間が増加するにつれて、ミッドアンブルを処理する持続時間は著しくは増加しない。従って、ミッドアンブルの持続時間がしきい値以上であるという事実は、ミッドアンブルを受信した後、第2のデバイスが、限定された処理能力に起因して、ミッドアンブルに基づいてデータシンボルを正しく復号するための時間を有しないことがある場合を回避することを助ける。
【００１６】
可能な実装において、ミッドアンブル指示情報は、ミッドアンブル内に含まれるHE-LTFシンボルの数量を示すために使用される指示情報、およびHE-LTFシンボルの持続時間を示すために使用される指示情報を含み、HE-LTFシンボルの持続時間とHE-LTFシンボルの数量との積が事前設定されたしきい値以上であり、または
ミッドアンブル指示情報は、ミッドアンブルによって使用される空間時間ストリームの数量を示すために使用される指示情報およびHE-LTFシンボルの持続時間を示すために使用される指示情報を含む、ミッドアンブルの持続時間の指示情報を含み、HE-LTFシンボルの持続時間と空間時間ストリームに対応するHE-LTFシンボルの数量との積が事前設定されたしきい値以上である。
【００１７】
ミッドアンブルの持続時間は、HE-LTFシンボルの数量とHE-LTおよびGIの総持続時間との積である。さらに、いくつかの場合において、ミッドアンブル指示情報がHE-LTFシンボルの数量を直接に提供しなくてよい。代わりに、空間時間ストリームの数量が指示情報内で搬送される。空間時間ストリームの数量がHE-LTFシンボルの数量との対応関係を有するので、第2のデバイスは、空間時間ストリームの数量に基づいてHE-LTFシンボルの対応する数量を決定し、ミッドアンブルの持続時間をさらに決定することが可能である。
【００１８】
可能な実装において、ミッドアンブル指示情報は、少なくとも、GI部分を除くHE-LTFシンボルの持続時間およびGIの持続時間を示すために使用される指示情報を含む。GI部分を除くHE-LTFシンボルの持続時間は、2つまたは4つの基本シンボル持続時間である。
【００１９】
基本シンボル持続時間は3.2μsであり、ガードインターバルの最小持続時間は0.8μsである。従って、ミッドアンブル内に含まれGI部分を除くHE-LTFシンボルの持続時間が、2つまたは4つの基本シンボル持続時間であるならば、HE-LTFシンボルの総持続時間は少なくとも7.2μsまたは13.6μsである。具体的に言うと、ミッドアンブルの持続時間は少なくとも7.2μsまたは13.6μsであり、これは、ミッドアンブルを処理する持続時間についてのほとんどのデバイスの要件を満たすことが可能である。
【００２０】
可能な実装において、ミッドアンブル指示情報は、第1のデバイスによって決定されてプリアンブル内のHE-LTFフィールドを示すために使用される指示情報とは異なる。
【００２１】
さらに、ミッドアンブル指示情報によって示されるミッドアンブルの持続時間は、HE-LTFフィールドの指示情報によって示されるHE-LTFフィールドの持続時間とは異なる。
【００２２】
ミッドアンブルと、プリアンブル内のHE-LTFフィールドの両方が、チャネル推定のために使用されることが可能である。しかしながら、ミッドアンブルは、データシンボルの中に挿入されている間に送信される。この場合、データ受信デバイスは、ミッドアンブルの前のデータシンボルを復調することを完了した後、ミッドアンブルに基づいてチャネル推定を実行する必要がある。上記のプロセスは、ミッドアンブルの後の第1のデータシンボルが完全に受信される前に完了する必要がある。従って、ミッドアンブルは持続時間についてより多くの要件を有する。ミッドアンブル、およびプリアンブル内のHE-LTFフィールドは、持続時間について異なる要件を有し、従って、異なる持続時間を示すために異なる指示情報が使用され、それにより、シグナリングオーバーヘッドを低減することを助ける。
【００２３】
可能な実装において、ミッドアンブル指示情報は、ミッドアンブルの期間フィールドを含み、期間フィールドは、少なくとも2つのビットを占有し、事前設定された少なくとも3つのミッドアンブル期間のうちの1つを示すために使用される。
【００２４】
上記の方式において、異なるシナリオにおいてチャネル推定についてのドップラー効果の要件を満たすために、少なくとも4つの異なるミッドアンブル期間がミッドアンブルのために提供される。たとえば、デバイスが比較的低速で移動し、チャネルが比較的遅く変化するとき、比較的長い期間が使用されてよく、またはチャネルが比較的速く変化する高速で進行する列車において、短い期間が使用されてよい。
【００２５】
可能な実装において、第1のデバイスにより、ミッドアンブル指示情報を第2のデバイスへ送信するステップは、第1のデバイスにより、ミッドアンブルの期間、および／またはHE-LTFシンボルの持続時間を示すために使用される指示情報を、空間再使用パラメータ(spatial reuse parameter、SRP)フィールド内の予約済みエントリを通じて第2のデバイスへ送信するステップ、または第1のデバイスにより、HE-LTFシンボルの持続時間を示すために使用される指示情報を、予約済みビットを通じて第2のデバイスへ送信するステップを含む。
【００２６】
データフレーム内にいくつかの予約済みビットまたは予約済みエントリがある。従って、既存のフレーム構造を十分に利用するために、これらの予約済みビットまたは予約済みエントリがミッドアンブル指示情報を送信するために使用される。
【００２７】
可能な実装において、第1のデバイスにより、ミッドアンブル指示情報を第2のデバイスへ送信するステップの前に、方法は、第1のデバイスにより、第2のデバイスのミッドアンブル処理能力についての情報を取得するステップと、第1のデバイスにより、能力情報に基づいてしきい値を決定するステップと、をさらに含む。
【００２８】
異なるデバイスは異なる処理能力を有する。いくつかのデバイスは、高い処理速度を有し、または並列処理を実行することが可能であり、ミッドアンブルの持続時間について比較的高い要件を有しない。しかしながら、いくつかのデバイスは、比較的低い処理速度を有し、または並列処理を実行することが可能でなく、ミッドアンブルの持続時間について比較的高い要件を有する。第1のデバイスは、第2のデバイスの処理能力に基づいてしきい値を決定し、それにより、第2のデバイスが適時な方式で処理を実行することが可能でないときに引き起こされる復号エラーを効果的に回避する。
【００２９】
可能な実装において、第1のデバイスにより、ミッドアンブル指示情報を第2のデバイスへ送信した後、方法は、第1のデバイスにより、ミッドアンブルを第2のデバイスへ送信するステップをさらに含む。ミッドアンブルは、合意されたミッドアンブル内に含まれる内容をパディングすることによって取得され、パディングの後のミッドアンブルの持続時間はしきい値以上である。
【００３０】
ミッドアンブルの内容は事前合意される。第2のデバイスは、受信されたミッドアンブル、および知られているミッドアンブルの内容に基づいて、チャネル推定を実行する。上記の方法において、パディングの後のミッドアンブルの持続時間がしきい値以上であるように、事前合意されたミッドアンブルの内容がパディングされる。パディングの内容およびパディングのための位置は事前合意されてよく、または内容および位置は、ミッドアンブル指示情報を使用することによって第2のデバイスに通知されてよい。
【００３１】
第4の態様によれば、この出願の一実施形態は、
第1のデバイスにより、ミッドアンブル指示情報を第2のデバイスへ送信するステップを含む、ミッドアンブル受信方法を提供する。ミッドアンブル指示情報によって示されるミッドアンブルの持続時間はしきい値以上であり、しきい値は第2のデバイスの処理能力に関係する。
【００３２】
さらに、第2のデバイスは、ミッドアンブル指示情報に従ってミッドアンブルを受信する。
【００３３】
可能な実装において、第2のデバイスにより、第1のデバイスによって送信されたミッドアンブル指示情報を受信するステップの前に、方法は、第2のデバイスにより、第2のデバイスのミッドアンブル処理能力についての情報を第1のデバイスへ送信するステップをさらに含む。
【００３４】
可能な実装において、ミッドアンブル指示情報は、ミッドアンブル内に含まれるHE-LTFシンボルの数量を示すために使用される指示情報、およびHE-LTFシンボルの持続時間を示すために使用される指示情報を含み、HE-LTFシンボルの持続時間とHE-LTFシンボルの数量との積が事前設定されたしきい値以上であり、または、ミッドアンブル指示情報は、ミッドアンブルによって使用される空間時間ストリームの数量を示すために使用される指示情報およびHE-LTFシンボルの持続時間を示すために使用される指示情報を含む、ミッドアンブルの持続時間の指示情報を含み、HE-LTFシンボルの持続時間と空間時間ストリームに対応するHE-LTFシンボルの数量との積が事前設定されたしきい値以上である。
【００３５】
可能な実装において、ミッドアンブル指示情報は、少なくとも、GI部分を除くHE-LTFシンボルの持続時間およびGIの持続時間を示すために使用される指示情報を含む。GI部分を除くHE-LTFシンボルの持続時間は、2つまたは4つの基本シンボル持続時間である。
【００３６】
可能な実装において、ミッドアンブル指示情報は、第1のデバイスによって決定されてプリアンブル内のHE-LTFフィールドを示すために使用される指示情報とは異なる。
【００３７】
さらに、ミッドアンブル指示情報によって示されるミッドアンブルの持続時間は、HE-LTFフィールドの指示情報によって示されるHE-LTFフィールドの持続時間とは異なる。
【００３８】
可能な実装において、ミッドアンブル指示情報は、ミッドアンブルの期間フィールドを含み、期間フィールドは、少なくとも2つのビットを占有し、事前設定された少なくとも4つのミッドアンブル期間のうちの1つを示すために使用される。
【００３９】
可能な実装において、第2のデバイスにより、第1のデバイスによって送信されたミッドアンブル指示情報を受信するステップは、第2のデバイスにより、ミッドアンブルの期間、および／またはHE-LTFシンボルの持続時間を示すために使用される指示情報を、SRPフィールド内の予約済みエントリを通じて受信するステップ、または第2のデバイスにより、HE-LTFシンボルの持続時間を示すために使用される指示情報を、予約済みビットを通じて受信するステップを含む。
【００４０】
可能な実装において、第2のデバイスにより、第1のデバイスによって送信されたミッドアンブル指示情報を受信した後、方法は、第2のデバイスにより、ミッドアンブル指示情報に従ってミッドアンブルを受信するステップをさらに含む。ミッドアンブルは、合意されたミッドアンブル内に含まれる内容をパディングすることによって取得され、パディングの後のミッドアンブルの持続時間はしきい値以上である。
【００４１】
第5の態様によれば、この出願の一実施形態は、第1のデバイスにより、第2のデバイスのミッドアンブル処理能力についての情報を取得するステップと、第1のデバイスにより、ミッドアンブル指示情報を第2のデバイスへ送信するステップと、を含む、ミッドアンブル指示方法を提供する。ミッドアンブル指示情報によって示されるミッドアンブルの持続時間は、第2のデバイスの能力情報に基づいて決定される。
【００４２】
上記の方法において、ミッドアンブルを受信した後、第2のデバイスが、限定された処理能力に起因して、ミッドアンブルに基づいてデータシンボルを正しく復号するための時間を有しないことがある場合を回避することを助けるために、第1のデバイスは第2のデバイスのミッドアンブル処理能力についての情報に基づいてミッドアンブル指示情報を決定する。
【００４３】
可能な実装において、能力情報は、以下の情報、すなわち、
第2のデバイスによってサポートされることが可能であるミッドアンブルの持続時間の最小値、
第2のデバイスがシングルユーザ・ドップラーモードおよび／または拡張距離シングルユーザ・ドップラーモードをサポートすることが可能であるかどうかについての情報、
第2のデバイスがマルチユーザ・ドップラーモードをサポートすることが可能であるかどうかについての情報、
ミッドアンブルによって占有される空間時間ストリームの、第2のデバイスによってサポートされることが可能である最大数量、
ミッドアンブルによって占有されるサブキャリアの、第2のデバイスによってサポートされることが可能である最大数量、および
ミッドアンブルがL個のサブキャリアおよびK個の空間時間ストリームを占有するときに第2のデバイスによってサポートされることが可能である変調および符号化方式MCSについての情報であって、LとKの両方は1以上の整数である、情報
のうちの少なくとも1つを含む。
【００４４】
可能な実装において、ミッドアンブル指示情報は、第1のデバイスによって決定されてプリアンブル内のHE-LTFフィールドを示すために使用される指示情報とは異なる。
【００４５】
さらに、ミッドアンブル指示情報によって示されるミッドアンブルの持続時間は、HE-LTFフィールドの指示情報によって示されるHE-LTFフィールドの持続時間とは異なる。
【００４６】
可能な実装において、ミッドアンブル指示情報は、ミッドアンブルの期間フィールドを含み、期間フィールドは、少なくとも2つのビットを占有し、事前設定された少なくとも3つのミッドアンブル期間のうちの1つを示すために使用される。
【００４７】
可能な実装において、第1のデバイスにより、ミッドアンブル指示情報を第2のデバイスへ送信するステップは、第1のデバイスにより、ミッドアンブルの期間、および／またはHE-LTFシンボルの持続時間を示すために使用される指示情報を、SRPフィールド内の予約済みエントリを通じて第2のデバイスへ送信するステップ、または第1のデバイスにより、HE-LTFシンボルの持続時間を示すために使用される指示情報を、予約済みビットを通じて第2のデバイスへ送信するステップを含む。
【００４８】
可能な実装において、第1のデバイスにより、ミッドアンブル指示情報を第2のデバイスへ送信した後、方法は、第1のデバイスにより、ミッドアンブルを第2のデバイスへ送信するステップをさらに含む。ミッドアンブルは、合意されたミッドアンブル内に含まれる内容をパディングすることによって取得され、パディングの後のミッドアンブルの持続時間はしきい値以上である。
【００４９】
第6の態様によれば、この出願の一実施形態は、
第2のデバイスにより、第2のデバイスのミッドアンブル処理能力についての情報を、第1のデバイスへ送信するステップと、第2のデバイスにより、第1のデバイスによって送信されたミッドアンブル指示情報を受信するステップであって、ミッドアンブル指示情報によって示されるミッドアンブルの持続時間が、第2のデバイスの能力情報に基づいて決定される、ステップと、第2のデバイスにより、指示情報に従ってミッドアンブルを受信するステップと、を含む、ミッドアンブル受信方法を提供する。
【００５０】
可能な実装において、能力情報は、以下、すなわち、
第2のデバイスによってサポートされることが可能であるミッドアンブルの持続時間の最小値、
第2のデバイスがシングルユーザ・ドップラーモードおよび／または拡張距離シングルユーザ・ドップラーモードをサポートすることが可能であるかどうかについての情報、
第2のデバイスがマルチユーザ・ドップラーモードをサポートすることが可能であるかどうかについての情報、
ミッドアンブルによって占有される空間時間ストリームの、第2のデバイスによってサポートされることが可能である最大数量、
ミッドアンブルによって占有されるサブキャリアの、第2のデバイスによってサポートされることが可能である最大数量、および
ミッドアンブルがL個のサブキャリアおよびK個の空間時間ストリームを占有するときに第2のデバイスによってサポートされることが可能である変調および符号化方式MCSについての情報であって、LとKの両方は1以上の整数である、情報
のうちの1つ、またはそれらの組み合わせを含む。
【００５１】
可能な実装において、ミッドアンブル指示情報は、第1のデバイスによって決定されてプリアンブル内のHE-LTFフィールドを示すために使用される指示情報とは異なる。
【００５２】
さらに、ミッドアンブル指示情報によって示されるミッドアンブルの持続時間は、HE-LTFフィールドの指示情報によって示されるHE-LTFフィールドの持続時間とは異なる。
【００５３】
可能な実装において、ミッドアンブル指示情報は、ミッドアンブルの期間フィールドを含み、期間フィールドは、少なくとも2つのビットを占有し、事前設定された少なくとも3つのミッドアンブル期間のうちの1つを示すために使用される。
【００５４】
可能な実装において、第2のデバイスは、ミッドアンブルの期間、および／またはHE-LTFシンボルの持続時間を示すために使用される指示情報を、SRPフィールド内の予約済みエントリを通じて受信し、または第2のデバイスは、HE-LTFシンボルの持続時間を示すために使用される指示情報を、予約済みビットを通じて受信する。
【００５５】
第1のデバイスにより、ミッドアンブル指示情報を第2のデバイスへ送信するステップは、第1のデバイスにより、ミッドアンブルの期間、および／またはHE-LTFシンボルの持続時間を示すために使用される指示情報を、SRPフィールド内の予約済みエントリを通じて第2のデバイスへ送信するステップ、または第1のデバイスにより、HE-LTFシンボルの持続時間を示すために使用される指示情報を、予約済みビットを通じて第2のデバイスへ送信するステップを含む。
【００５６】
可能な実装において、第2のデバイスにより、第1のデバイスによって送信されたミッドアンブル指示情報を受信するステップの後、方法は、第1のデバイスによって送信されたミッドアンブルを受信するステップをさらに含む。ミッドアンブルは、合意されたミッドアンブル内に含まれる内容をパディングすることによって取得され、パディングの後のミッドアンブルの持続時間はしきい値以上である。
【００５７】
第7の態様によれば、この出願の一実施形態は、第1のデバイスにより、ミッドアンブル指示情報を第2のデバイスへ送信するステップを含む、ミッドアンブル指示方法を提供する。ミッドアンブル指示情報は、第1のデバイスによって第2のデバイスへ送信されるプリアンブル内のHE-LTFフィールドの指示情報とは異なる。
【００５８】
上記の方法によれば、プリアンブル内のHE-LTFフィールド、およびミッドアンブルは、柔軟に示されることが可能である。
【００５９】
可能な実装において、ミッドアンブル指示情報によって示されるミッドアンブル内に含まれるHE-LTFシンボルの持続時間は、HE-LTFフィールドの指示情報によって示されるHE-LTFフィールド内に含まれるHE-LTFシンボルの持続時間とは異なる。
【００６０】
任意選択で、プリアンブル内のHE-LTFフィールドは、比較的短い持続時間を有するHE-LTFシンボルを使用してよく、一方、それはミッドアンブルが比較的長い持続時間を有するHE-LTFシンボルを使用することを示す。上記の方法において、ミッドアンブルの持続時間についての情報、およびプリアンブル内のHE-LTFフィールドの持続時間についての情報は別々に示され、従って、ミッドアンブルの持続時間への限定は、プリアンブル内のHE-LTFフィールドに影響せず、それにより、プリアンブルのシグナリングオーバーヘッドを低減することを助ける。
【００６１】
任意選択で、チャネル推定の初期化をより正確にするために、プリアンブル内のHE-LTFフィールドは、比較的長い持続時間を有するHE-LTFシンボルを使用し、または比較的大量のHE-LTFシンボルを使用してよい。他方、ミッドアンブルは、比較的短い持続時間を有するHE-LTFシンボルを使用し、または比較的少量のHE-LTFシンボルを使用する。データ受信デバイスは、チャネル推定の正確さを保証するとともにミッドアンブルのシグナリングオーバーヘッドを低減することを助けるために、ミッドアンブルに基づいて取得されたチャネル推定結果、および初期チャネル推定結果を使用することによって、広範囲にわたる分析を実行する。
【００６２】
第8の態様によれば、この出願の一実施形態は、第2のデバイスにより、第1のデバイスによって送信されたミッドアンブル指示情報を受信するステップであって、ミッドアンブル指示情報が、第1のデバイスによって第2のデバイスへ送信される高効率ロング・トレーニングHE-LTFフィールドの指示情報とは異なる、ステップと、第2のデバイスにより、指示情報に従ってミッドアンブルを受信するステップと、を含む、ミッドアンブル受信方法を提供する。
【００６３】
可能な実装において、ミッドアンブル指示情報によって示されるミッドアンブル内に含まれるHE-LTFシンボルの持続時間は、HE-LTFフィールドの指示情報によって示されるHE-LTFフィールド内に含まれるHE-LTFシンボルの持続時間とは異なる。
【００６４】
第9の態様によれば、この出願の一実施形態は、第1のデバイスにより、ミッドアンブル指示情報を第2のデバイスへ送信するステップを含む、ミッドアンブル指示方法を提供する。ミッドアンブル指示情報は、ミッドアンブルを受信した後、ミッドアンブルの後の(X+1)番目から(X+M)番目のデータシンボルをミッドアンブルに基づいて復号するように、第2のデバイスに命令するために使用される。Mは、第1のデバイスがM個ごとのデータシンボルを送信した後にミッドアンブルを送信することを表記し、Xは、第2のデバイスのミッドアンブル処理能力に基づいて事前合意または決定された1以上の整数である。
【００６５】
上記の方法において、データ受信デバイスがチャネル推定を実行するためのバッファ時間を提供し、ミッドアンブルを受信した後、受信デバイスが、限定された処理能力に起因して、ミッドアンブルに基づいてデータシンボルを正しく復号するための時間を有しないことがある場合を回避することを助けるために、ミッドアンブルはミッドアンブル指示情報によって示される位置に基づいて送信される。
【００６６】
第10の態様によれば、この出願の一実施形態は、第2のデバイスにより、ミッドアンブルを受信するステップと、第2のデバイスにより、ミッドアンブルに基づいてチャネル推定を実行するステップと、第2のデバイスにより、ミッドアンブルの後の(X+1)番目から(X+M)番目のデータシンボルをチャネル推定結果に基づいて復号するステップと、を含む、ミッドアンブル受信方法を提供する。Mは、第2のデバイスがM個ごとのデータシンボルを受信した後にミッドアンブルを受信することを表記し、Xは、第2のデバイスのミッドアンブル処理能力に基づいて事前合意または決定された1以上の整数である。
【００６７】
第11の態様によれば、この出願の一実施形態はデバイスを提供する。デバイスは、第1のデバイスとして使用され、処理ユニットおよび送信ユニットを含む。これらのユニットは、第1の態様による方法の例における対応する機能を実行することが可能である。詳細については、方法の例における詳細な説明を参照されたく、詳細は再びここで説明されない。
【００６８】
第12の態様によれば、この出願の一実施形態はデバイスを提供する。デバイスは、第2のデバイスとして使用され、受信ユニットおよび処理ユニットを含む。これらのユニットは、第2の態様による方法の例における対応する機能を実行することが可能である。詳細については、方法の例における詳細な説明を参照されたく、詳細は再びここで説明されない。
【００６９】
第13の態様によれば、この出願の一実施形態はデバイスを提供する。デバイスは、第1のデバイスとして使用され、処理ユニットおよび送信ユニットを含む。これらのユニットは、第3の態様による方法の例における対応する機能を実行することが可能である。詳細については、方法の例における詳細な説明を参照されたく、詳細は再びここで説明されない。
【００７０】
第14の態様によれば、この出願の一実施形態はデバイスを提供する。デバイスは、第2のデバイスとして使用され、受信ユニットおよび処理ユニットを含む。これらのユニットは、第4の態様による方法の例における対応する機能を実行することが可能である。詳細については、方法の例における詳細な説明を参照されたく、詳細は再びここで説明されない。
【００７１】
第15の態様によれば、この出願の一実施形態はデバイスを提供する。デバイスは、第1のデバイスとして使用され、処理ユニットおよび送信ユニットを含む。これらのユニットは、第5の態様による方法の例における対応する機能を実行することが可能である。詳細については、方法の例における詳細な説明を参照されたく、詳細は再びここで説明されない。
【００７２】
第16の態様によれば、この出願の一実施形態はデバイスを提供する。デバイスは、第2のデバイスとして使用され、送信ユニットおよび受信ユニットを含む。これらのユニットは、第6の態様による方法の例における対応する機能を実行することが可能である。詳細については、方法の例における詳細な説明を参照されたく、詳細は再びここで説明されない。
【００７３】
第17の態様によれば、この出願の一実施形態はデバイスを提供する。デバイスは、第1のデバイスとして使用され、処理ユニットおよび送信ユニットを含む。これらのユニットは、第7の態様による方法の例における対応する機能を実行することが可能である。詳細については、方法の例における詳細な説明を参照されたく、詳細は再びここで説明されない。
【００７４】
第18の態様によれば、この出願の一実施形態はデバイスを提供する。デバイスは、第2のデバイスとして使用され、受信ユニットおよび処理ユニットを含む。これらのユニットは、第8の態様による方法の例における対応する機能を実行することが可能である。詳細については、方法の例における詳細な説明を参照されたく、詳細は再びここで説明されない。
【００７５】
第19の態様によれば、この出願の一実施形態はデバイスを提供する。デバイスは、第1のデバイスとして使用され、処理ユニットおよび送信ユニットを含む。これらのユニットは、第3の態様による方法の例における対応する機能を実行することが可能である。詳細については、方法の例における詳細な説明を参照されたく、詳細は再びここで説明されない。
【００７６】
第20の態様によれば、この出願の一実施形態はデバイスを提供する。デバイスは、第2のデバイスとして使用され、受信ユニットおよび処理ユニットを含む。これらのユニットは、第4の態様による方法の例における対応する機能を実行することが可能である。詳細については、方法の例における詳細な説明を参照されたく、詳細は再びここで説明されない。
【００７７】
第21の態様によれば、この出願の一実施形態はコンピュータ記憶媒体をさらに提供する。記憶媒体はソフトウェアプログラムを記憶する。ソフトウェアプログラムは、1つ以上のプロセッサに読み取られ、実行されるとき、第1から第10の態様による実施形態のいずれか1つにおける方法を実現することが可能である。
【図面の簡単な説明】
【００７８】
【図１】この出願の一実施形態による、ミッドアンブルを処理することの概略図である。
【図２】この出願の一実施形態による適用シナリオの概略図である。
【図３】この出願の一実施形態による、ミッドアンブル指示および受信手順のフローチャートである。
【図４】この出願の一実施形態による能力情報の概略図である。
【図５】この出願の一実施形態による、ミッドアンブルをパディングすることの概略図である。
【図６】この出願の一実施形態による、ミッドアンブルの位置を送信することの概略図である。
【図７】この出願の一実施形態によるデバイスの第1の概略構造図である。
【図８】この出願の一実施形態によるデバイスの第2の概略構造図である。
【図９】この出願の一実施形態によるデバイスの第3の概略構造図である。
【図１０】この出願の一実施形態によるデバイスの第4の概略構造図である。
【図１１】この出願の一実施形態によるデバイスの第5の概略構造図である。
【発明を実施するための形態】
【００７９】
この出願の目的、技術的解決策、および利点をより明瞭にするために、以下は、添付図面を参照してこの出願を詳細にさらに説明する。
【００８０】
いくつかの無線ローカル・エリア・ネットワークのシナリオにおいて、データ送信デバイスおよびデータ受信デバイスは、互いに対して移動していることがある。相対的な移動によって生み出されるドップラー効果は、データ伝送の間にチャネル状態を変化させる。従って、プリアンブル内のHE-LTFフィールドに基づいて取得されたチャネル推定結果が、チャネル状態が著しく変化したときに受信されるデータシンボルを復号するために使用されるならば、復号エラーが発生し得る。
【００８１】
上記の課題を解決するために、受信デバイスが、ミッドアンブルに基づいてチャネル推定を再実行し、続いて受信されるデータシンボルを新たなチャネル推定結果に基づいて復号することが可能であるように、M個ごとのデータシンボルの後に、データフィールドの中にミッドアンブル(midamble)が挿入されてよい。
【００８２】
具体的には、HE-SIG-Aフィールドは、ドップラーモードを使用するかどうかを示す情報を含んでよい。ドップラーモードが有効にされるとき、データユニット構造が表2に表され得る。
【００８３】
【表２】
2020532244.tif 000004
【００８４】
ミッドアンブルの内容は、通常、プリアンブル内のHE-LTFフィールドの内容と同じである。
【００８５】
一例として特定のシナリオを使用して、HE-SIG-Aフィールドは、ドップラーモードが使用されるとき、データユニットが1つの空間時間ストリームを使用し、プリアンブル内のHE-LTFフィールド、およびミッドアンブルが、各々、1つのHE-LTFシンボルを含むことを示し、1つのHE-LTFシンボルは、0.8μsの持続時間を有するガードインターバル(guard interval、GI)、および1つの基本シンボル持続時間(基本シンボル持続時間は3.2μsであり、1Xによって表記され得る)の非GI部分を含む。
【００８６】
図1に表されたように、ミッドアンブルを受信することを完了した後、受信デバイスは、HE-LTFフィールドに基づいて、高速フーリエ変換(fast fourier transform、FFT)、チャネル推定(channel estimation)、および前処理(たとえば、多入力多出力に関係する準備作業)を実行する必要がある。Data-0を受信することを完了した後、受信デバイスはチャネル推定結果に基づいてData-0を復調し、Data-1を受信することを完了した後、受信デバイスはチャネル推定結果に基づいてData-1を復調する。
【００８７】
4X(12.8μs)の持続時間を有するデータシンボルData-1の後、Data-1を復調するためにほぼ4X(12.8μs)の時間が、通常、必要とされる。比較的短い持続時間を有するミッドアンブルを受信した後、受信デバイスは、さらに、受信されたミッドアンブルに基づいて高速フーリエ変換(Fast Fourier Transform、FFT)、チャネル推定、および前処理(たとえば、多入力多出力に関係する準備作業)を実行する必要がある。受信デバイスがData-1を復調しチャネル推定を実行する手順は、Data-2が正しく復調されることが可能であることを保証するために、Data-2が完全に受信される瞬間の前に完了する必要がある。具体的に言うと、受信デバイスは、ミッドアンブルおよびData-2の総持続時間内に、Data-1を復調することおよびチャネル推定を完了する必要がある。しかしながら、比較的乏しい処理能力を有する受信デバイスについて、受信デバイスは、Data-1を復調した後、ミッドアンブルおよびData-2の総持続時間内にチャネル推定および前処理のプロセスを完了するために、おそらく時間を有しないことがある。図1に表されたように、受信デバイスは、Data-2が完全に受信された後のいくらかの時間にチャネル推定および前処理のプロセスを完了し、これはData-2の復調においてエラーを引き起こし得る。
【００８８】
上記の課題を解決するために、この出願は、第1のデバイスによって送信されたミッドアンブルに基づいて、受信デバイスが、受信されたデータシンボルを正しく復号することを可能にするために、ミッドアンブル指示方法を提供する。
【００８９】
この出願の実施形態において説明されるデバイスは、通信サーバ、ルータ、スイッチ、ブリッジ、コンピュータ、モバイルフォン、アクセスポイント(access point、AP)、ステーション(station、STA)、または同様のものを含むが、それらに限定されない。デバイスは、車載型通信デバイス、列車中継通信モジュール、線路わきのAP、通信基地局、または同様のものであってよい。
【００９０】
この出願の実施形態は、図2に表された適用シナリオに適用され、APとSTAの間の通信、AP間の通信、またはSTA間の通信のために使用されてよい。確かに、この出願の実施形態の適用シナリオは図2に表されたシナリオに限定されない。
【００９１】
ドップラーモードが有効にされるとき、ミッドアンブルが送信される前に、ミッドアンブル指示情報が、通常、送信される。指示情報は、少なくとも、ミッドアンブルの持続時間を示すために使用される情報、および／またはミッドアンブルの期間を示すために使用される情報を含む。
【００９２】
ミッドアンブルの内容は、通常、プリアンブル内のHE-LTFフィールドの内容と同じであるので、いくつかの実施形態において、ミッドアンブル、およびプリアンブル内のHE-LTFフィールドは、同じ持続時間指示情報を使用してよい。
【００９３】
ミッドアンブルの持続時間を示すために使用される情報は、ミッドアンブル内に含まれるHE-LTFシンボルの数量を示すために使用される指示情報およびHE-LTFシンボルの持続時間を示すために使用される指示情報、または、ミッドアンブルによって使用される空間時間ストリームの数量を示すために使用される指示情報およびHE-LTFシンボルを示すために使用される指示情報をさらに含んでよい。
【００９４】
具体的には、HE-LTFシンボルはGI部分および非GI部分を含む。GIはシンボル間の干渉を回避するために使用され、非GI部分はFFT、チャネル推定、および前処理を実行するために使用される。
【００９５】
具体的には、ミッドアンブルの持続時間TMidambleは、式(1)を通じて取得され得る。
TMidamble=NHE-LTF×(THE-LTF+TGI)        (1)
【００９６】
NHE-LTFは、ミッドアンブル内に含まれるHE-LTFシンボルの数量を表記し、THE-LTFは、GI部分を除くHE-LTFシンボルの持続時間を表記し、TGIは、GIの持続時間を表記する。
【００９７】
さらに、伝送されるデータが高効率シングルユーザ物理レイヤ・プロトコル・データ・ユニット(high efficient single user physical layer protocol data unit、HE SU PPDU)、または高効率拡張範囲シングルユーザ物理レイヤ・プロトコル・データ・ユニット(high efficient extended range single user physical layer protocol data unit、HE ER SU PPDU)であるとき、NHE-LTFは別々に示されない。しかしながら、ミッドアンブルによって使用される空間時間ストリームの数量、およびミッドアンブル内に含まれるHE-LTFシンボルの数量は、式(2)に表されたように、互いとの対応関係を有する。
【００９８】
【数１】
2020532244.tif 000005
【００９９】
従って、ミッドアンブルの持続時間は、また、式(2)、ミッドアンブルによって使用される空間時間ストリームの数量、GI部分を除くHE-LTFシンボルの持続時間、およびGIの持続時間に従って決定され得る。
【０１００】
特定の実施形態において、伝送されるデータがHE SU PPDUまたはHE ER SU PPDUであるとき、ミッドアンブル指示情報は、表3に表されたように、HE-SIG-Aフィールド内に含まれてよい。
【０１０１】
【表３】
2020532244.tif 000006
【０１０２】
別の特定の実施形態において、伝送されるデータが高効率複数ユーザ物理レイヤ・プロトコル・データ・ユニット(high efficient multiple user physical layer protocol data unit、HE MU PPDU)であるとき、ミッドアンブル指示情報は、表4に表されたようにHE-SIG-Aフィールド内に含まれてよい。
【０１０３】
【表４】
2020532244.tif 000007
【０１０４】
別の特定の実施形態において、物理レイヤ・プロトコル・データ・ユニット(PPDU)のトリガフレームを基にした(trigger based、TB)伝送について、ミッドアンブル内に含まれるHE-LTFシンボルの数量を示すために使用される指示情報、およびGI部分を除くHE-LTFシンボルの持続時間およびGIの持続時間を示すために使用される指示情報は、データがHE MU PPDUであるときの指示情報と類似であってよい。差異は、アクセスポイントによってステーションへ送信されるトリガフレーム内でミッドアンブル指示情報が搬送されることである。たとえば、HE-LTFシンボルの数量およびミッドアンブル期間のフィールドは、パブリックドメインにおいて設定される。続くデータ伝送が必要とされるとき、APがデータフレームをSTAへ送信するのか、あるいはSTAがデータフレームをAPへ送信するのかにかかわらず、トリガフレーム内に含まれるミッドアンブル関係の指示情報に従ってミッドアンブルが送信される。
【０１０５】
GI部分を除くHE-LTFシンボルの持続時間およびGIの持続時間の指示情報(たとえば、GI+LTFによって表記される)が、代わりに、プリアンブルのHE-SIG-Aフィールド内またはトリガフレーム内で搬送されてよい。具体的には、GI部分を除くHE-LTFシンボルの持続時間は、1X(3.2μs)、2X(6.4μs)、または4X(12.8μs)であってよく、GIの持続時間は、0.8μs、1.6μs、または3.2μsであってよい。従って、たとえば、表5に表されたように、GI部分を除くHE-LTFシンボルの持続時間とGIの持続時間の複数の組み合わせがある。
【０１０６】
【表５】
2020532244.tif 000008
【０１０７】
表4および表6に基づいて、伝送されるデータがHE SU PPDUまたはHE ER SU PPDUであるとき、ミッドアンブルの持続時間が表6に表され得ることが、知られることが可能である。
【０１０８】
【表６】
2020532244.tif 000009
【０１０９】
表4および表5に基づいて、伝送されるデータがHE MU PPDUであるとき、ミッドアンブルの持続時間が表7に表され得ることが、知られることが可能である。
【０１１０】
【表７】
2020532244.tif 000010
【０１１１】
表4および表5に基づいて、TB PPDUについて、ミッドアンブルの持続時間が表8に表され得ることが、知られることが可能である。
【０１１２】
【表８】
2020532244.tif 000011
【０１１３】
前に説明されたように、データ受信デバイスは、比較的乏しい処理能力を有することがある。ミッドアンブルの持続時間が比較的短いならば、データ受信デバイスはミッドアンブルに基づくチャネル推定を完了するための時間を有しないことがあり、結果として、ミッドアンブルの後のデータシンボルを復号する際のエラーが引き起こされる。従って、可能な実装において、ミッドアンブルの持続時間に特有のしきい値が設定されてよい。具体的に言うと、ミッドアンブル指示情報によって示されるミッドアンブルの持続時間は、復号エラーが回避されるように、しきい値以上である。具体的には、これは式(3)に表され得る。
TMidamble=NHE-LTF×(THE-LTF+TGI)≧Tm        (3)
【０１１４】
Tmはしきい値を表記する。
【０１１５】
ミッドアンブルの持続時間が増加するにつれて、ミッドアンブルを処理する持続時間は比例的には増加しない。たとえば、ミッドアンブルの持続時間が元の持続時間の4倍に増加するならば、ミッドアンブルを処理する持続時間は元の処理持続時間の4倍より少ない。従って、ミッドアンブルを受信した後、データ受信デバイスが、限定された処理能力に起因して、ミッドアンブルに基づいてデータシンボルを正しく復号するための時間を有しないことがある場合を回避することを助けるために、ミッドアンブルの持続時間について最小しきい値が設定される。
【０１１６】
具体的には、データ伝送がHE SU PPDU、HE ER SU PPDU、またはHE MU PPDUに基づいて実行されるとき、ミッドアンブル指示および受信手順が図3に表され得る。
【０１１７】
ステップ301:送信デバイスは、ミッドアンブル指示情報を受信デバイスへ送信し、ミッドアンブル指示情報によって示されるミッドアンブルの持続時間はしきい値以上である。
【０１１８】
ドップラーモードを有効にすることを決定するとき、送信デバイスは、上記の実施形態において説明された事前設定されたしきい値に基づいてミッドアンブルの持続時間を決定し、ミッドアンブルの持続時間の指示情報をHE-SIG-Aに追加し、HE-SIG-Aをデータ受信デバイスへ送信してよい。さらに、送信デバイスは、指示情報によって示される持続時間に基づいてミッドアンブルを生成し、ミッドアンブルをデータ受信デバイスへ送信する。
【０１１９】
ステップ302:受信デバイスは、ミッドアンブル指示情報によって示されるミッドアンブルの持続時間に基づいてミッドアンブルを受信する。
【０１２０】
具体的には、受信デバイスは、HE-SIG-A内のミッドアンブル指示情報によって示される持続時間に基づいてミッドアンブルを受信する。さらに、受信デバイスは、ミッドアンブルの持続時間がしきい値以上であるときのみ、受信されたミッドアンブルに基づいてチャネル推定および前処理を実行し、ミッドアンブルの後のデータシンボルをチャネル推定結果に基づいて復調する。
【０１２１】
データ伝送がTB PPDUに基づくとき、ミッドアンブル指示情報送信デバイスはアクセスポイントであり得る。ドップラーモードを有効にすることを決定するとき、アクセスポイントは、上記の実施形態において説明された事前設定されたしきい値に基づいてミッドアンブルの持続時間を決定し、ミッドアンブルの持続時間の指示情報をトリガフレームに追加し、トリガフレームをステーションへ送信してよい。
【０１２２】
ミッドアンブル指示情報を受信した後、ステーションはミッドアンブルの持続時間を決定する。データをアクセスポイントまたは別のステーションへ伝送するとき、ステーションは、ミッドアンブル指示情報によって示される持続時間に基づいてミッドアンブルを生成し、ミッドアンブルをアクセスポイントまたは別のステーションへ送信してよい。代わりに、ステーションは、アクセスポイントまたは別のステーションによって送信されたミッドアンブルをミッドアンブル指示情報に従って受信し、ミッドアンブルの後のデータシンボルをチャネル推定結果に基づいて復調してよい。
【０１２３】
特定の実施形態において、しきい値Tmは事前合意されてよい。たとえば、ミッドアンブルの持続時間のしきい値Tmは通信プロトコルにおいて指定され、データ送信デバイスによって送信されるミッドアンブルの持続時間はしきい値以上である必要がある(または、しきい値より大きい必要がある)。しきい値は、大量のデバイスのミッドアンブル処理時間の統計分析を通じて取得される分析結果に基づいて、研究者によって決定されてよい。別の例について、しきい値は、7.2μs(2X HE-LTF+0.8μs GI)、14.4μs(2×(2X HE-LTF+0.8μs GI))、または8μs(2X HE-LTF+1.6μsまたは2×(1X HE-LTF+0.8μs GI)であってよい。
【０１２４】
別の特定の実施形態において、データ受信デバイスのミッドアンブル処理能力についての情報は、あらかじめ取得されてよく、しきい値Tmは、能力情報に基づいて決定される。任意選択で、APにアクセスするとき、STAは、STAのミッドアンブル処理能力についての情報を報告する。さらに、APは、また、STAとAPの間でデータが伝送され、ドップラーモードが有効にされる必要があるとき、ミッドアンブルがデータ受信デバイスの処理能力に基づいて送信されることが可能であるように、APの能力情報をSTAへ送信してよく、それにより、受信デバイスが、ミッドアンブルに基づくチャネル推定を完了するための時間を有さず、結果として、受信デバイスがミッドアンブルの後のデータシンボルを復号するときにエラーが発生する場合を回避する。任意選択で、STA間の通信について、たとえば、STA1がデータをSTA2へ送信し、かつ現在の環境内でドップラーモードが使用される必要があるならば、STA1は、データを送信する前にSTA2の能力情報を取得し、対応するしきい値をSTA2の能力情報に基づいて決定し、次いで、STA2の能力情報に基づいてデータを送信してよい。データシンボルの中に挿入され送信されるミッドアンブルの持続時間は、しきい値以上である。さらに、能力情報は双方向に取得されてよい。具体的に言うと、STA1がSTA1の能力情報をSTA2へ送信し、STA2がSTA2の能力情報をSTA1へ送信する。
【０１２５】
具体的には、データ伝送がHE SU PPDU、HE ER SU PPDU、またはHE MU PPDUに基づいて実行されるとき、ミッドアンブル指示情報送信デバイスはデータ送信デバイスであり得る。ドップラーモードを有効にすることを決定するとき、送信デバイスは、受信デバイスの取得された能力情報に基づいてミッドアンブルの持続時間および他の情報を決定し、ミッドアンブルの持続時間の指示情報をHE-SIG-Aに追加し、HE-SIG-Aをデータ受信デバイスへ送信し、指示情報によって示される持続時間に基づいてミッドアンブルを生成し、ミッドアンブルをデータ受信デバイスへ送信してよい。
【０１２６】
データ受信デバイスは、あらかじめ、データ受信デバイスのミッドアンブル処理能力についての情報を送信デバイスへ送信し、送信デバイスによって送信されたHE-SIG-A内のミッドアンブル指示情報によって示される持続時間に基づいてミッドアンブルを受信し、受信されたミッドアンブルに基づいてチャネル推定および前処理を実行し、ミッドアンブルの後のデータシンボルをチャネル推定結果に基づいて復調してよい。
【０１２７】
データ伝送がTB PPDUに基づいて実行されるとき、ミッドアンブル指示情報送信デバイスはアクセスポイントであり得る。ドップラーモードを有効にすることを決定するとき、アクセスポイントは、ステーションのミッドアンブル処理能力についての情報に基づいてミッドアンブルの持続時間および他の情報を決定し、ミッドアンブルの持続時間の指示情報をトリガフレームに追加し、トリガフレームをステーションへ送信してよい。
【０１２８】
ミッドアンブル指示情報を受信した後、ステーションはミッドアンブルの持続時間を決定する。データをアクセスポイントまたは別のステーションへ伝送するとき、ステーションは、ミッドアンブル指示情報によって示される持続時間に基づいてミッドアンブルを生成し、ミッドアンブルをアクセスポイントまたは別のステーションへ送信してよい。代わりに、ステーションは、アクセスポイントまたは別のステーションによって送信されたミッドアンブルを、ミッドアンブル指示情報に従って受信し、ミッドアンブルの後のデータシンボルをチャネル推定結果に基づいて復調してよい。
【０１２９】
任意選択で、データ受信デバイスのミッドアンブル処理能力についての情報は、処理されることが可能であるミッドアンブルの持続時間の最小しきい値を含んでよい。この場合、トリガフレームを送信するデータ送信デバイスまたはAPは、送信されたミッドアンブル指示情報によって示されるミッドアンブルの持続時間を、最小しきい値に基づいて決定してよい。
【０１３０】
ミッドアンブルを処理する持続時間および複雑さは、ミッドアンブルの構成に関係する。従って、いくつかの実施形態において、データ受信デバイスのミッドアンブル処理能力についての取得される情報は、受信デバイスによってサポートされることが可能であるミッドアンブルの構成情報をさらに含んでよい。たとえば、ミッドアンブルを処理する持続時間は、ミッドアンブルによって占有されるリソースユニット(resource unit、RU)の数量(すなわち、占有されるサブキャリアの数量)、空間時間ストリームの数量(Nsts)、および、変調および符号化方式(modulation and coding scheme、MCS)のような、構成に関係する。RUの数量、Nsts、およびMCSの中の任意の2つの構成パラメータが一定であり、かつその他の構成パラメータが増加するならば、要求される処理持続時間はそれに対応して増加し、またはRUの数量、Nsts、およびMCSの中の任意の2つの構成パラメータが一定であり、かつその他の構成パラメータが減少するならば、要求される処理持続時間はそれに対応して減少する。従って、データ受信デバイスの能力情報は、以下の情報、すなわち、
サポートされることが可能であるRUの最大数量、
サポートされることが可能である最大Nsts、および
ミッドアンブルがL個のRUおよびK個のNstsを占有するときにサポートされることが可能であるMCSについての情報であって、LとKの両方が1以上の整数である、情報
のうちの1つ、またはそれらの組み合わせを含んでよい。
【０１３１】
さらに、受信デバイスの能力情報は、最小しきい値とミッドアンブルの構成情報の両方を含んでよい。最小しきい値は、ミッドアンブルの構成情報に関係なく、ミッドアンブルが受信デバイスの処理能力のしきい値についての要件を満たすことが可能であることを表記する。ミッドアンブル指示情報を決定するデバイスは、受信デバイスについて、対応するミッドアンブルの持続時間を、最小しきい値に直接に基づいて決定してよく、またはサポートされることが可能であるミッドアンブルの構成情報に基づいて、対応するミッドアンブルの構成を、特定の適用要件に従って最小しきい値に関係なく決定してよく、それによって、受信デバイスは適時な方式でミッドアンブルを処理することが可能であり、続くデータシンボルの復調は影響されない。たとえば、ミッドアンブルについて構成されたRUの数量、Nsts、およびMCSが、受信デバイスがミッドアンブルの持続時間に関係なく正常な処理を実行することを可能にするならば、最小しきい値は考慮される必要がない。たとえば、1つの1X HE-LTFのみを含むミッドアンブルが使用されるとき、受信デバイスは、依然として適時な方式で処理を実行することが可能である。ミッドアンブルについて構成されたRUの数量、Nsts、およびMCSが、受信デバイスがミッドアンブルの持続時間に関係なく正常な処理を実行することが可能であることを保証しないならば、ミッドアンブルの持続時間の最小しきい値が考慮される必要がある。
【０１３２】
さらに、能力情報は、ドップラーモードについて受信デバイスのサポート情報をさらに含んでよい。たとえば、能力情報は2つのビットを含んでよく、HE SU PPDUまたはHE ER SU PPDUに基づくドップラーモードがサポートされるかどうかを示すために1つのビットが使用され、MU PPDUまたはTB PPDUに基づくドップラーモードがサポートされるかどうかを示すためにその他のビットが使用される。代わりに、能力情報は4つのビットを含んでよく、HE SU PPDUまたはHE ER SU PPDUに基づくドップラーモードでのデータ受信がサポートされるかどうかを示すために1つのビットが使用され、HE SU PPDUまたはHE ER SU PPDUに基づくドップラーモードでのデータ送信がサポートされるかどうかを示すために1つのビットが使用され、HE MU PPDUまたはTB PPDUに基づくドップラーモードでのデータ受信がサポートされるかどうかを示すために1つのビットが使用され、MU PPDUまたはTB PPDUに基づくドップラーモードでのデータ送信がサポートされるかどうかを示すために1つのビットが使用される。代わりに、HE SU PPDUがグループとして別々に使用されてよく、HE ER SU PPDU、MU PPDU、およびTB PPDUがグループとして使用される。4つのビットは、また、これらの2つのグループがドップラーモードでの受信および送信をサポートするかどうかを示すために使用されてよい。代わりに、異なるデータグループについてのドップラーモードにおける受信の複雑さは異なってよく、結果として、1つのSTAのデータは、マルチユーザ伝送(すなわち、HE MU PPDUまたはTB PPDU)の間に、より多くのシンボルにおいて搬送される必要があり、性能は影響される。従って、別個の指示についての必要性がある。
【０１３３】
特定の実施形態において、データ受信デバイスによって送信される能力情報が図4に表されることが可能であり、情報がミッドアンブル処理能力に関係する情報を示すために使用されることを表記する情報要素識別子、情報の長さを示すために使用される長さ、ミッドアンブルの持続時間がしきい値以上であるならば、データ受信デバイスが正常な処理を実行することが可能であることを表記するために使用されるしきい値TM、デバイスがSU/ER SUを基にしたドップラーモードをサポートするかどうかを表記し、かつデバイスがSU/ER SUを基にしたドップラーモードでの受信および送信をサポートするかどうかをさらに含んでよいSU/ER SUドップラーモード、デバイスがMU/TBを基にしたドップラーモードをサポートするかどうかを表記し、かつデバイスがMU/TBを基にしたドップラーモードでの受信および送信をサポートするかどうかをさらに含んでよいMU/TBドップラーモード、ミッドアンブルによって占有されデバイスによって処理されることが可能である空間時間ストリームの最大数量を表記する空間時間ストリームの数量、デバイスによって処理されることが可能であるミッドアンブルによって占有されるRUの最大数量を表記するRUの数量、Nsts=N1かつNRU=RU1であるときにデバイスによってサポートされることが可能であるMCSの最大値、・・・、およびNsts=NkかつNRU=RUkであるときにデバイスによってサポートされることが可能であるMCSの最大値を含む。
【０１３４】
可能な実装において、ミッドアンブル指示情報によって示されるミッドアンブル内に含まれる、GI部分を除く各HE-LTFシンボルの持続時間は、限定されてよい。たとえば、ミッドアンブル内の、GI部分を除くHE-LTFシンボルの持続時間は、ミッドアンブルを処理するためのほとんどのデバイスの要件を満たすために、2Xまたは4Xに限定されてよい。表6から表8に表されたように、GI部分を除くHE-LTFシンボルの持続時間が2Xまたは4Xであるとき(すなわち、GI+LTF持続時間フィールドが1、2、または3であるとき)、対応するミッドアンブル持続時間はすべて7.2μs以上である。代わりに、ミッドアンブル内の、GI部分を除くHE-LTFシンボルの持続時間は、4Xのみに限定されてよい。表6から表8に表されたように、GI部分を除くHE-LTFシンボルの持続時間が4Xであるとき(すなわち、GI+LTF持続時間フィールドが3であるとき)、対応するミッドアンブル持続時間はすべて13.6μs以上である。
【０１３５】
可能な実装において、ミッドアンブル指示情報によって示されるミッドアンブルの持続時間は、ミッドアンブルの持続時間の集合に属する。
【０１３６】
任意選択で、ミッドアンブルの持続時間の集合は、以下、すなわち、
4Xである、GI部分を除くHE-LTFシンボルの持続時間、および0.8μsであるGIの持続時間、
4Xである、GI部分を除くHE-LTFシンボルの持続時間、および1.6μsであるGIの持続時間、
4Xである、GI部分を除くHE-LTFシンボルの持続時間、および3.2μsであるGIの持続時間、
2Xである、GI部分を除くHE-LTFシンボルの持続時間、および0.8μsであるGIの持続時間、
2Xである、GI部分を除くHE-LTFシンボルの持続時間、および1.6μsであるGIの持続時間、および
2Xである、GI部分を除くHE-LTFシンボルの持続時間、および3.2μsであるGIの持続時間
のうちの1つのみ、またはそれらの任意の組み合わせを含む。
【０１３７】
さらに、データ受信デバイスは、ミッドアンブル内に含まれる高効率ロング・トレーニング・フィールドHE-LTFシンボルの持続時間が利用可能な集合に属するときのみ、受信されたミッドアンブルに基づいてチャネル推定および前処理を実行する。
【０１３８】
特定の実施形態において、伝送されるデータがHE SU PPDUまたはHE ER SU PPDUであるとき、プリアンブル内のHE-SIG-A内で搬送されるGI+LTF関連フィールドが表9に表され得る。
【０１３９】
【表９】
2020532244.tif 000012
【０１４０】
特定の実施形態において、伝送されるデータがHE MU PPDUであるとき、プリアンブル内のHE-SIG-A内で搬送されるGI+LTF関連フィールドが表10に表され得る。
【０１４１】
【表１０】
2020532244.tif 000013
【０１４２】
特定の実施形態において、TB PPDUについて、トリガフレーム内で搬送されるGI+LTF関連フィールドが表11に表され得る。
【０１４３】
【表１１】
2020532244.tif 000014
【０１４４】
任意選択で、上記の実施形態のいずれか1つにおいて説明されたしきい値は、ミッドアンブルによって占有される空間時間ストリームの数量が2以上であるときのみ有効であり得る。具体的に言うと、ミッドアンブルが1つの空間時間ストリームのみを占有するとき、ミッドアンブルの持続時間がしきい値以上であるかどうかは考慮される必要がないことがある。なぜなら、ミッドアンブルが1つの空間時間ストリームのみを占有するとき、ミッドアンブルを処理する複雑さはデータ受信デバイスにとって比較的低いからである。この場合、ミッドアンブルの持続時間が比較的短くても、受信デバイスは、依然として、適時な方式でミッドアンブルに基づいてチャネル推定を実行するプロセスを完了することが可能である。ミッドアンブルによって占有される空間時間ストリームの数量が2以上であるとき、ミッドアンブルを処理する複雑さは受信デバイスにとって増加し、ミッドアンブルの後のデータシンボルの復号に影響することなく受信デバイスがミッドアンブルに基づいてチャネル推定を成功で完了することが可能であることを保証するように、ミッドアンブルのしきい値が設定される必要がある。
【０１４５】
具体的には、ミッドアンブルの持続時間は式(4)に表され得る。
TMidamble=NHE-LTF×(THE-LTF+TGI)≧TM、Nsts≧2        (4)
【０１４６】
特定の実施形態において、空間時間ストリームの数量が2以上であるとき、GI部分を除くHE-LTFシンボルの持続時間は4Xであるべきである。代わりに、空間時間ストリームの数量が2以上であるとき、GI部分を除くHE-LTFシンボルの持続時間は2Xまたは4Xであるべきである。
【０１４７】
ドップラーモードが有効にされるとき、ミッドアンブルの内容がプリアンブル内のHE-LTFフィールドの内容と同じであるので、ミッドアンブル、およびプリアンブル内のHE-LTFフィールドは、同じ持続時間指示情報を使用してよい。しかしながら、いくつかのシナリオにおいて、ミッドアンブルの内容は、通常、プリアンブル内のHE-LTFフィールドの内容とは異なり、またはミッドアンブルの持続時間は、受信デバイスがミッドアンブルの持続時間およびプリアンブル内のHE-LTFフィールドの持続時間について異なる要件を有するという事実に起因して、増加される必要がある。従って、可能な実装において、ミッドアンブルの持続時間およびプリアンブル内のHE-LTFフィールドの持続時間を示すために、異なる指示情報が使用されてよい。
【０１４８】
具体的には、データ伝送がHE SU PPDU、HE ER SU PPDU、またはHE MU PPDUに基づいて実行されるとき、ミッドアンブル指示情報送信デバイスはデータ送信デバイスであり得る。ドップラーモードを有効にすることを決定するとき、送信デバイスは、プリアンブル内のHE-LTFフィールドの指示情報、およびミッドアンブルの指示情報を別々に決定し、指示情報をHE-SIG-Aに追加し、HE-SIG-Aをデータ受信デバイスへ送信し、指示情報によって示されるミッドアンブル情報に基づいてミッドアンブルを生成し、ミッドアンブルをデータ受信デバイスへ送信してよい。
【０１４９】
データ受信デバイスは、プリアンブル内のHE-LTFフィールドの指示情報、およびミッドアンブルの指示情報を別々に受信し、プリアンブル内のHE-LTFフィールドの関連する情報、およびミッドアンブルの関連する情報を別々に決定し、関連する情報に基づいて、プリアンブル内のHE-LTFフィールド、およびミッドアンブルを受信し、プリアンブル内の受信されたHE-LTFフィールド、および受信されたミッドアンブルに基づいて、チャネル推定および前処理を実行し、ミッドアンブルの後のデータシンボルをチャネル推定結果に基づいて復調する。
【０１５０】
データ伝送がTB PPDUに基づいて実行されるとき、ミッドアンブル指示情報送信デバイスはアクセスポイントであり得る。ドップラーモードを有効にすることを決定するとき、アクセスポイントは、プリアンブル内のHE-LTFフィールドの指示情報、およびミッドアンブルの指示情報を別々に決定し、指示情報をトリガフレームに追加し、トリガフレームをステーションへ送信してよい。
【０１５１】
プリアンブル内のHE-LTFフィールドの指示情報、およびミッドアンブルの指示情報を受信した後、ステーションは、プリアンブル情報およびミッドアンブル情報を別々に決定する。データをアクセスポイントまたは別のステーションへ伝送するとき、ステーションは、プリアンブル情報およびミッドアンブル情報に基づいてプリアンブルおよびミッドアンブルを生成し、プリアンブルおよびミッドアンブルをアクセスポイントまたは別のステーションへ送信してよい。
【０１５２】
任意選択で、ミッドアンブル内に含まれる、GI部分を除くHE-LTFシンボルの持続時間およびGIの持続時間、およびプリアンブル内のHE-LTFフィールド内に含まれる、GI部分を除くHE-LTFシンボルの持続時間およびGIの持続時間を示すために、異なる指示情報が使用される。
【０１５３】
シグナリングオーバーヘッドを増加させることを回避するために、データフレーム内のいくつかの予約済みビットまたは予約済みエントリ(entry)が、ミッドアンブル情報を示すために使用されてよい。
【０１５４】
たとえば、表12に表されたように、HE-SIG-AフィールドのSRPフィールド内にいくつかの予約済みエントリがある。
【０１５５】
【表１２】
2020532244.tif 000015
【０１５６】
SRフィールドは、表12に表されたように、4つのビットを有し、16個のエントリを提供することが可能である。SR内の1から12の値を有するエントリは予約済みである。従って、これらの12個の予約済みエントリのうちのいくつかまたはすべては、ミッドアンブル内に含まれる、GI部分を除く各HE-LTFシンボルの持続時間および／または各GIの持続時間、およびプリアンブル内のHE-LTFフィールド内に含まれる、GI部分を除く各HE-LTFシンボルの持続時間および／または各GIの持続時間を示すために使用されてよい。たとえば、SRフィールド内の予約済みエントリは表13に表されたように規定される。
【０１５７】
【表１３】
2020532244.tif 000016
【０１５８】
いくつかの他の実施形態において、ミッドアンブル内に含まれる各GIの持続時間、およびプリアンブル内のHE-LTFフィールド内に含まれる各GIの持続時間は、同じにされてよく、ミッドアンブル内に含まれる、GI部分を除く各HE-LTFシンボルの持続時間、およびプリアンブル内のHE-LTFフィールド内に含まれる、GI部分を除く各HE-LTFシンボルの持続時間のみが、別々に示される。具体的に言うと、表13 におけるエントリは、1X、2X、または4Xである、GI部分を除くHE-LTFシンボルの持続時間のみに対応する。
【０１５９】
さらに、ミッドアンブル内に含まれる、GI部分を除くHE-LTFシンボルの持続時間および／またはGIの持続時間を示すために、SRPフィールド内の予約済みエントリを使用することに加えて、HE-SIG-Aフィールドまたはトリガフレーム内の予約済みビットも、ミッドアンブル内に含まれる、HE-LTFシンボルの持続時間および／またはGIの持続時間を示すために使用されてよい。たとえば、伝送されるデータがHE SU PPDUまたはHE ER SU PPDUであるとき、HE-SIG-Aフィールド内に2つの予約済みビットがあり、伝送されるデータがHE MU PPDUであるとき、HE-SIG-Aフィールド内に1つの予約済みビットがある。トリガフレーム内にもいくつかの予約済みビットがあり、これらの予約済みビットが、続く伝送の間のデータフレーム内のHE-SIG-Aフィールド内の予約済みビットに対応するので、予約済みビットのいくつかはHE-SIG-A Reservedと呼ばれる。
【０１６０】
特定の実施形態において、データフレームまたはトリガフレーム内のHE-SIG-Aフィールド内の予約済みビットは表14に表されたように規定され得る。
【０１６１】
【表１４】
2020532244.tif 000017
【０１６２】
表14に表されたように、ミッドアンブル内に含まれる、GI部分を除くHE-LTFシンボルの持続時間のみが規定される。ミッドアンブル内に含まれるGIの持続時間は、プリアンブル内のGIの持続時間と同じである。さらに、先行技術において、これらの予約済みビットは、通常、デフォルト値であり、または1に設定される。従って、表14において、予約済みビットが1に設定されていることは、受信デバイスが識別するために便利であるように、ミッドアンブルの持続時間がプリアンブル内のHE-LTFフィールドの持続時間と同じであることを表記する。確かに、予約済みビットが0に設定されていること、および予約済みビットが1に設定されていることの対応する規定は置き換えられてよく、これはこの出願において限定されない。
【０１６３】
別の特定の実施形態において、データフレーム内またはトリガフレーム内のHE-SIG-Aフィールド内の2つの予約済みビットが、表15に表されたように規定され得る。
【０１６４】
【表１５】
2020532244.tif 000018
【０１６５】
ミッドアンブルの持続時間についての情報、およびプリアンブル内のHE-LTFフィールドの持続時間についての情報は別々に示され、従って、ミッドアンブルの持続時間への限定は、プリアンブル内のHE-LTFフィールドに影響しない。具体的に言うと、プリアンブル内のHE-LTFフィールドは、GI部分を除く、比較的短い持続時間を有するHE-LTFシンボル、または比較的短い持続時間を有するGIを使用してよく、一方、それは、ミッドアンブルが、GI部分を除く、比較的長い持続時間を有するHE-LTFシンボル、または比較的長い持続時間を有するGIを使用することを示し、それにより、プリアンブルのシグナリングオーバーヘッドを低減することを助ける。代わりに、ミッドアンブルの持続時間についての情報およびプリアンブル内のHE-LTFフィールドの持続時間についての情報が別々に示されるので、チャネル推定の初期化をより正確にするために、プリアンブル内のHE-LTFフィールドは、GI部分を除く、比較的長い持続時間を有するHE-LTFシンボル、または比較的長い持続時間を有するGIを使用し、または比較的大量のHE-LTFシンボルを使用してよく、一方、ミッドアンブルは、GI部分を除く、比較的短い持続時間を有するHE-LTFシンボルを使用し、または比較的少量のHE-LTFシンボルを使用する。データ受信デバイスは、チャネル推定の正確さを保証し、かつミッドアンブルのシグナリングオーバーヘッドを低減することを助けるために、ミッドアンブルに基づいて受信されたチャネル推定結果、および初期チャネル推定結果に基づいて、重み付き平均化を実行する。
【０１６６】
さらに、ミッドアンブルの持続時間が、ミッドアンブルを処理することについてのデータ受信デバイスの持続時間の要件を満たすことが可能であることを保証するために、持続時間の要件を満たさないミッドアンブルは、パディングの後のミッドアンブルの持続時間が処理についての要件を満たすようにパディングされてよい。具体的には、ミッドアンブルのパディングは、元のミッドアンブルを複製することであってよい。たとえば、元のミッドアンブルは、2Xの持続時間を有する、GI部分を除くHE-LTFシンボル、および0.8μsの持続時間を有するGIを含み、パディングの後のミッドアンブルは、2Xの持続時間を有する、GI部分を除く2つのHE-LTFシンボル、および0.8μsの持続時間を有する2つのGIを含む。代わりに、通信プロトコルにおいて指定されるように、ミッドアンブルの持続時間を増加させるために、定められた位置においていくつかの無関係なビットが追加されてよい。代わりに、データ受信デバイスが、チャネル推定を実行するためにパディングの後のミッドアンブルから有用な情報を取得することが可能であるように、ミッドアンブル内の有用な情報の開始位置を示すために使用される指示情報が、ミッドアンブル指示情報に追加されてよい。
【０１６７】
特定の実施形態において、上記で説明された予約済みビットまたは予約済みエントリは、ミッドアンブルがパディングされているかどうかを表記するために使用されてよい。パディングの後のミッドアンブルの持続時間は、元のミッドアンブルの持続時間のN倍である。Nは1より大きい値である。たとえば、Nは2、3、または4であってよい。任意選択で、Nの値は規格において指定されてよく、またはデータ受信デバイスは、ミッドアンブル指示情報を使用することによってNの値を通知されてよい。
【０１６８】
Nが2に等しい例を使用して、パディングの後のミッドアンブルが図5に表され得る。図5に表された状況(a)は、パディングの後のミッドアンブルが、元のミッドアンブルを複製することによって取得されることを表記する。図5に表された状況(b)は、パディングの後のミッドアンブルが、無関係なビットを元のミッドアンブルに追加することによって取得され、パディング位置が有用な情報の前にあることを表記する。図5に表された状況(c)は、パディングの後のミッドアンブルが、無関係なビットを元のミッドアンブルに追加することによって取得され、パディング位置が有用な情報の後にあることを表記する。
【０１６９】
それに対応して、データ受信デバイスは、データ送信デバイスが元のミッドアンブルを複製することをミッドアンブル指示情報に従って決定し、次いで、パディングの後のミッドアンブルを受信した後、データ受信デバイスは、規格における仕様に従って、またはミッドアンブル指示情報に従って、複製された情報を削除し、削除後のミッドアンブルに基づいてチャネル推定を実行してよい。代わりに、データ受信デバイスは、データ送信デバイスが無関係なビットを元のミッドアンブルに追加することを、ミッドアンブル指示情報に従って決定し、次いで、パディングの後のミッドアンブルを受信した後、データ受信デバイスは、規格における仕様に従って、またはミッドアンブル指示情報に従って、有用な情報を選択し、チャネル推定を実行する。
【０１７０】
現在の規格は、1つのビットによって表記される2つのタイプのミッドアンブル送信期間を提供する。表3および表4に表されたように、ミッドアンブルは、10個または20個ごとのデータシンボルが送信された後に送信されてよい。これらの2つのミッドアンブル送信期間は、デバイスが比較的低速で移動しているときに引き起こされるドップラー効果に対処することが可能である。しかしながら、たとえば、高速で進行する列車において、デバイスが比較的高速で移動しているとき、ドップラー効果はより厳しく、これは、チャネル状態を極めて速く変化させ、従って、データシンボルを正しく復号するために、チャネル推定結果はより短い期間内で更新される必要がある。
【０１７１】
上記の課題を解決するために、可能な実装において、複数のタイプのミッドアンブル送信期間を提供して異なるレベルのドップラー効果のチャネル推定についての要件を満たすために、複数のビットがミッドアンブル送信期間を表記するために使用される。任意選択で、ミッドアンブル指示情報内の期間フィールドは、少なくとも2つのビットを占有し、事前設定された少なくとも3つのミッドアンブル期間のうちの1つを示すために使用される。
【０１７２】
具体的には、上記で説明されたように、HE-SIG-Aフィールドまたはトリガフレーム内にいくつかの予約済みビットまたは予約済みエントリがある。これらの予約済みビットまたは予約済みエントリは、より多くのミッドアンブル送信期間を提供するために使用されてよい。
【０１７３】
特定の実施形態において、表16に表されたように、予約済みビットはミッドアンブル送信期間を示すために使用される元のビットと組み合わせて使用されてよい。
【０１７４】
【表１６】
2020532244.tif 000019
【０１７５】
別の特定の実施形態において、表17に表されたように、ミッドアンブル送信期間を示すためにSRPフィールド内の予約済みエントリが使用されてよい。
【０１７６】
【表１７】
2020532244.tif 000020
【０１７７】
代わりに、ミッドアンブル送信期間を示すために使用される元のビットは保持されてよく、ミッドアンブル送信期間を示すためにSRPフィールド内の予約済みエントリと組み合わせられてよい。例は1つずつここに列挙されない。
【０１７８】
さらに、HE-SIG-Aフィールド内の予約済みエントリが、複数のタイプのミッドアンブル送信期間を提供するために使用されてよい。
【０１７９】
別の特定の実施形態において、ミッドアンブル送信期間は、代わりに、MCSおよびNstsのような、ミッドアンブルを処理するために要求される持続時間に関係するパラメータによって決定されてよい。
【０１８０】
たとえば、表18に表されたように、ミッドアンブル送信期間は、ミッドアンブル送信期間を示すために使用される元のビットおよびMCS構成によって一括して決定されてよい。
【０１８１】
【表１８】
2020532244.tif 000021
【０１８２】
別の例について、表19に表されたように、ミッドアンブル送信期間は、代わりに、ミッドアンブル送信期間を示すために使用される元のビットおよびNstsの構成によって一括して決定されてよい。
【０１８３】
【表１９】
2020532244.tif 000022
【０１８４】
さらに、ミッドアンブル期間が比較的短いならば、データ受信デバイスの処理能力についての要件は比較的高い。データ受信デバイスは、比較的短いミッドアンブル期間をサポートしないことがある。さらに、データ受信デバイスのミッドアンブル処理能力についての情報は、拡張されたミッドアンブル期間がサポートされるかどうかについての情報をさらに含んでよい。
【０１８５】
上記の実施形態における4つの候補のミッドアンブル送信期間が、単に、説明のための例であることが理解されるべきである。1つの期間内に含まれるシンボルの数量、および候補期間の数量は、この出願において限定されない。
【０１８６】
上記の実施形態のいずれか1つが、ドップラー効果が有効にされるときにミッドアンブルが送信される必要があるシナリオに、独立して適用されることが可能である。代わりに、異なるシナリオにおけるミッドアンブルについての異なる要件を満たすために、上記の実施形態の任意の組み合わせが使用されてよい。
【０１８７】
データ伝送がHE SU PPDU、HE ER SU PPDU、またはHE MU PPDUに基づいて実行されるとき、ミッドアンブル指示情報送信デバイスはデータ送信デバイスであり得る。ドップラーモードを有効にすることを決定するとき、送信デバイスは、ミッドアンブル内に含まれるHE-LTFシンボルの数量、空間時間ストリームの数量、HE-LTFシンボルの持続時間、およびミッドアンブル期間のようなミッドアンブル指示情報を、上記の実施形態のいずれか1つにおいて説明されたミッドアンブルについての情報に基づいて決定し、指示情報をHE-SIG-Aに追加し、HE-SIG-Aをデータ受信デバイスへ送信し、指示情報によって示されるようにミッドアンブルを生成し、ミッドアンブルをデータ受信デバイスへ送信してよい。
【０１８８】
データ受信デバイスは、HE-SIG-A内のミッドアンブル指示情報に従ってミッドアンブルを受信し、受信されたミッドアンブルに基づいてチャネル推定および前処理を実行し、ミッドアンブルの後のデータシンボルをチャネル推定結果に基づいて復調する。
【０１８９】
データ伝送がTB PPDUに基づいて実行されるとき、ミッドアンブル指示情報送信デバイスはアクセスポイントであり得る。ドップラーモードを有効にすることを決定するとき、アクセスポイントは、上記の実施形態のいずれか1つにおいて説明されたミッドアンブルについての情報に基づいてミッドアンブル指示情報を決定し、指示情報をトリガフレームの中に追加し、トリガフレームをステーションへ送信してよい。
【０１９０】
ミッドアンブル指示情報を受信した後、データをアクセスポイントまたは別のステーションへ伝送するとき、ステーションは、ミッドアンブル指示情報に従ってミッドアンブルを生成し、ミッドアンブルをアクセスポイントまたは別のステーションへ送信してよい。代わりに、ステーションは、アクセスポイントまたは別のステーションによって送信されたミッドアンブルをミッドアンブル指示情報に従って受信し、ミッドアンブルの後のデータシンボルをチャネル推定結果に基づいて復調してよい。
【０１９１】
データ受信デバイスが、限定された能力に起因して、ミッドアンブルに基づくチャネル推定のプロセスを完了するための時間を有さず、結果として、データ復号の間にエラーが発生するという課題を解決するために、この出願の実施形態は、ミッドアンブルの持続時間を拡張する代わりにミッドアンブルの送信位置が変更される方法をさらに提供する。
【０１９２】
ミッドアンブル期間が10個のデータシンボルである例を使用して、データ受信デバイスは、プリアンブル内のHE-LTFフィールドに基づいてチャネル推定を実行し、チャネル推定結果に基づいてData_1からData_10を復調し、ミッドアンブルを受信するとともにチャネル推定を再実行し、チャネル推定結果に基づいてData_11からData_20を復調する。より多くのデータシンボルがあるならば、プロセスは反復され、これは再びここで詳細に説明されない。ミッドアンブル期間が比較的短いならば、データ受信デバイスは、ミッドアンブルに基づくチャネル推定結果を取得するための時間を有しないことがあり、これは、Data_11またはより多くのデータシンボルを復調する際にエラーを引き起こし得る。
【０１９３】
従って、この出願の実施形態は、上記の課題を解決するための方法を提供する。この方法において、ミッドアンブル指示情報は、ドップラーモードにおいて、ミッドアンブルが受信された後、ミッドアンブルに基づいてチャネル推定が実行されることを示すために使用され、ミッドアンブルの後の(X+1)番目から(X+M)番目のデータシンボルが、チャネル推定結果に基づいて復調される。Mは、ミッドアンブル期間を表記し、Xは、規格において指定され、またはデータ受信デバイスのミッドアンブル処理能力に基づいて決定される、1以上の整数である。規格においてXの値が指定されないならば、上記で説明された予約済みビットまたは予約済みエントリが、データ受信デバイスに命令するために使用されてよい。
【０１９４】
図6に表されたように、依然として、ミッドアンブル期間が10個のデータシンボルであり、Xが2に等しい例を使用して、データ送信デバイスは、まず、Data_1からData_8、次いで、ミッドアンブル、Data_9からData_18、別のミッドアンブル、および、Data_19およびData_20を送信する。より多くのデータシンボルがあるならば、プロセスは反復され、これは再びここで詳細に説明されない。
【０１９５】
データ受信デバイスは、プリアンブル内のHE-LTFフィールドに基づいてチャネル推定を実行してチャネル推定結果1を取得し、チャネル推定結果1に基づいてData_1からData_8を復調する。次いで、データ受信デバイスは、受信されたミッドアンブルに基づいてチャネル推定を再実行し、チャネル推定結果2を取得する。Data_9の受信が完了する前にチャネル推定のプロセスが完了しなくても、Data_9およびData_10が依然としてチャネル推定結果1に基づいて復調されるので、Data_9の復調は影響されない。次いで、チャネル推定結果2に基づいてData_11からData_18が復調される。データ受信デバイスは、別のミッドアンブルを受信し、チャネル推定を再実行し、チャネル推定結果3を取得する。Data_19およびData_20は、依然としてチャネル推定結果2に基づいて復調される。次いで、チャネル推定結果3に基づいてData_21および同様のものが復調される。
【０１９６】
依然として、ミッドアンブル期間が10個のデータシンボルであり、Xが2に等しい例を使用して、いくつかの実施形態において、データ受信デバイスがData_10の受信を完了する前にチャネル推定のプロセスを完了するならば、データ受信デバイスは、また、新たに取得されたチャネル推定結果を十分に利用し、かつデータ復調の正確さを保証するために、新たに取得されたチャネル推定結果に基づいてData_10を復調してよい。
【０１９７】
いくつかの実施形態において、ミッドアンブルの送信位置が変更される方法は、異なるレベルのドップラー効果のチャネル推定についての要件を満たすために、複数のタイプのミッドアンブル期間が提供される上記の実施形態とさらに組み合わせられてよい。
【０１９８】
ミッドアンブルの送信位置が変更されるので、チャネル推定を実行するためにデータ受信デバイスに対してバッファ時間が提供され、これは、ミッドアンブルを受信した後、受信デバイスが、限定された処理能力に起因して、ミッドアンブルに基づいてデータシンボルを正しく復号するための時間を有しないことがある場合を回避することを助ける。
【０１９９】
同じ技術的思想に基づいて、この出願の一実施形態はデバイスをさらに提供する。デバイスは、第1のデバイスとして使用され、上記の方法の実施形態を実現するように構成され得る。図7を参照すると、デバイスは、
ミッドアンブル指示情報を決定するように構成された処理ユニット701であって、ミッドアンブル指示情報によって示されるミッドアンブル内に含まれる高効率ロング・トレーニング・フィールドHE-LTFシンボルの持続時間が、利用可能な集合に属する、処理ユニット701と、
ミッドアンブル指示情報を第2のデバイスへ送信するように構成された送信ユニット702と、を含む。
【０２００】
可能な実装において、利用可能な集合は、以下、すなわち、
4つの基本シンボル持続時間である、GI部分を除くHE-LTFシンボルの持続時間、および0.8μsであるGIの持続時間、
4つの基本シンボル持続時間である、GI部分を除くHE-LTFシンボルの持続時間、および1.6μsであるGIの持続時間、
4つの基本シンボル持続時間である、GI部分を除くHE-LTFシンボルの持続時間、および3.2μsであるGIの持続時間、
2つの基本シンボル持続時間である、GI部分を除くHE-LTFシンボルの持続時間、および0.8μsであるGIの持続時間、
2つの基本シンボル持続時間である、GI部分を除くHE-LTFシンボルの持続時間、および1.6μsであるGIの持続時間、および
2つの基本シンボル持続時間である、GI部分を除くHE-LTFシンボルの持続時間、および3.2μsであるGIの持続時間
のうちの1つ、またはそれらの任意の組み合わせを含む。
【０２０１】
同じ技術的思想に基づいて、この出願の一実施形態はデバイスをさらに提供する。デバイスは、第2のデバイスとして使用され、上記の方法の実施形態を実現するように構成され得る。図8を参照すると、デバイスは、
第1のデバイスによって送信されたミッドアンブル指示情報を受信するように構成された受信ユニット801と、
ミッドアンブル指示情報によって示されるミッドアンブル内に含まれる高効率ロング・トレーニング・フィールドHE-LTFシンボルの持続時間が利用可能な集合に属するときのみ、受信されたミッドアンブルに基づいてチャネル推定を実行するように構成された処理ユニット802と、を含む。
【０２０２】
可能な実装において、利用可能な集合は、以下、すなわち、
4つの基本シンボル持続時間である、GI部分を除くHE-LTFシンボルの持続時間、および0.8μsであるGIの持続時間、
4つの基本シンボル持続時間である、GI部分を除くHE-LTFシンボルの持続時間、および1.6μsであるGIの持続時間、
4つの基本シンボル持続時間である、GI部分を除くHE-LTFシンボルの持続時間、および3.2μsであるGIの持続時間、
2つの基本シンボル持続時間である、GI部分を除くHE-LTFシンボルの持続時間、および0.8μsであるGIの持続時間、
2つの基本シンボル持続時間である、GI部分を除くHE-LTFシンボルの持続時間、および1.6μsであるGIの持続時間、および
2つの基本シンボル持続時間である、GI部分を除くHE-LTFシンボルの持続時間、および3.2μsであるGIの持続時間
のうちの1つ、またはそれらの任意の組み合わせを含む。
【０２０３】
同じ技術的思想に基づいて、この出願の一実施形態はデバイスをさらに提供する。デバイスは、第1のデバイスとして使用され、上記の方法の実施形態を実現するように構成され得る。デバイスは、
ミッドアンブル指示情報を決定するように構成された処理ユニットであって、ミッドアンブル指示情報によって示されるミッドアンブルの持続時間がしきい値以上であり、しきい値が第2のデバイスの処理能力に関係する、処理ユニットと、
ミッドアンブル指示情報を第2のデバイスへ送信するように構成された送信ユニットと、を含む。
【０２０４】
処理ユニットと送信ユニットの間の接続の概略図は図7と類似である。
【０２０５】
可能な実装において、ミッドアンブル指示情報は、ミッドアンブル内に含まれるHE-LTFシンボルの数量を示すために使用される指示情報、およびHE-LTFシンボルの持続時間を示すために使用される指示情報を含み、HE-LTFシンボルの持続時間とHE-LTFシンボルの数量との積が事前設定されたしきい値以上であり、または、ミッドアンブル指示情報は、ミッドアンブルによって使用される空間時間ストリームの数量を示すために使用される指示情報およびHE-LTFシンボルの持続時間を示すために使用される指示情報を含む、ミッドアンブルの持続時間の指示情報を含み、HE-LTFシンボルの持続時間と空間時間ストリームに対応するHE-LTFシンボルの数量との積が事前設定されたしきい値以上である。
【０２０６】
可能な実装において、ミッドアンブル指示情報は、少なくとも、GI部分を除くHE-LTFシンボルの持続時間およびGIの持続時間を示すために使用される指示情報を含む。GI部分を除くHE-LTFシンボルの持続時間は、2つまたは4つの基本シンボル持続時間である。
【０２０７】
可能な実装において、ミッドアンブル指示情報は、第1のデバイスによって決定されてプリアンブル内のHE-LTFフィールドを示すために使用される指示情報とは異なる。
【０２０８】
可能な実装において、ミッドアンブル指示情報は、ミッドアンブルの期間フィールドを含み、期間フィールドは、少なくとも2つのビットを占有し、事前設定された少なくとも3つのミッドアンブル期間のうちの1つを示すために使用される。
【０２０９】
可能な実装において、送信ユニットは、具体的には、ミッドアンブルの期間、および／またはHE-LTFシンボルの持続時間を示すために使用される指示情報を、SRPフィールド内の予約済みエントリを通じて第2のデバイスへ送信し、またはHE-LTFシンボルの持続時間を示すために使用される指示情報を、予約済みビットを通じて第2のデバイスへ送信するように構成される。
【０２１０】
可能な実装において、処理ユニットは、第2のデバイスのミッドアンブル処理能力についての情報を取得し、能力情報に基づいてしきい値を決定するようにさらに構成される。
【０２１１】
可能な実装において、ミッドアンブル指示情報を第2のデバイスへ送信した後、送信ユニットは、ミッドアンブルを第2のデバイスへ送信するようにさらに構成される。ミッドアンブルは、合意されたミッドアンブル内に含まれる内容をパディングすることによって取得され、パディングの後のミッドアンブルの持続時間はしきい値以上である。
【０２１２】
同じ技術的思想に基づいて、この出願の一実施形態はデバイスをさらに提供する。デバイスは、第2のデバイスとして使用され、上記の方法の実施形態を実現するように構成され得る。デバイスは、
第1のデバイスによって送信されたミッドアンブル指示情報を受信するように構成された受信ユニットであって、
さらに、受信ユニットは、ミッドアンブル指示情報に従ってミッドアンブルを受信するようにさらに構成された、受信ユニットと、
ミッドアンブル指示情報によって示されるミッドアンブルの持続時間がしきい値以上であるときのみ、受信されたミッドアンブルに基づいてチャネル推定を実行するように構成された処理ユニットであって、しきい値は第2のデバイスの処理能力に関係する、処理ユニットと、を含む。
【０２１３】
処理ユニットと送信ユニットの間の接続の概略図は図8と類似である。
【０２１４】
可能な実装において、デバイスは、受信ユニットが第1のデバイスによって送信されたミッドアンブル指示情報を受信する前に、第2のデバイスのミッドアンブル処理能力についての情報を第1のデバイスへ送信するように構成された、送信ユニットをさらに含む。
【０２１５】
可能な実装において、ミッドアンブル指示情報は、ミッドアンブル内に含まれるHE-LTFシンボルの数量を示すために使用される指示情報、およびHE-LTFシンボルの持続時間を示すために使用される指示情報を含み、HE-LTFシンボルの持続時間とHE-LTFシンボルの数量との積が事前設定されたしきい値以上であり、または、ミッドアンブル指示情報は、ミッドアンブルによって使用される空間時間ストリームの数量を示すために使用される指示情報およびHE-LTFシンボルの持続時間を示すために使用される指示情報を含む、ミッドアンブルの持続時間の指示情報を含み、HE-LTFシンボルの持続時間と空間時間ストリームに対応するHE-LTFシンボルの数量との積が事前設定されたしきい値以上である。
【０２１６】
可能な実装において、ミッドアンブル指示情報は、少なくとも、GI部分を除くHE-LTFシンボルの持続時間およびGIの持続時間を示すために使用される指示情報を含む。GI部分を除くHE-LTFシンボルの持続時間は、2つまたは4つの基本シンボル持続時間である。
【０２１７】
可能な実装において、ミッドアンブル指示情報は、第1のデバイスによって決定されてプリアンブル内のHE-LTFフィールドを示すために使用される指示情報とは異なる。
【０２１８】
さらに、ミッドアンブル指示情報によって示されるミッドアンブルの持続時間は、HE-LTFフィールドの指示情報によって示されるHE-LTFフィールドの持続時間とは異なる。
【０２１９】
可能な実装において、ミッドアンブル指示情報は、ミッドアンブルの期間フィールドを含み、期間フィールドは、少なくとも2つのビットを占有し、事前設定された少なくとも4つのミッドアンブル期間のうちの1つを示すために使用される。
【０２２０】
可能な実装において、受信ユニットは、具体的には、ミッドアンブルの期間、および／またはHE-LTFシンボルの持続時間を示すために使用される指示情報を、SRPフィールド内の予約済みエントリを通じて受信し、またはHE-LTFシンボルの持続時間を示すために使用される指示情報を、予約済みビットを通じて受信するように構成される。
【０２２１】
可能な実装において、受信ユニットは、ミッドアンブル指示情報に従ってミッドアンブルを受信する。ミッドアンブルは、合意されたミッドアンブル内に含まれる内容をパディングすることによって取得され、パディングの後のミッドアンブルの持続時間はしきい値以上である。
【０２２２】
同じ技術的思想に基づいて、この出願の一実施形態はデバイスをさらに提供する。デバイスは、第1のデバイスとして使用され、上記の方法の実施形態を実現するように構成され得る。デバイスは、
第2のデバイスのミッドアンブル処理能力についての情報を取得し、能力情報に基づいてミッドアンブル指示情報を決定するように構成された処理ユニットと、
ミッドアンブル指示情報を第2のデバイスへ送信するように構成された送信ユニットと、を含む。
【０２２３】
処理ユニットと送信ユニットの間の接続の概略図は図7と類似である。
【０２２４】
可能な実装において、能力情報は、以下の情報、すなわち、
第2のデバイスによってサポートされることが可能であるミッドアンブルの持続時間の最小値、
第2のデバイスが、シングルユーザ・ドップラーモードおよび／または拡張距離シングルユーザ・ドップラーモードをサポートすることが可能であるかどうかについての情報、
第2のデバイスが、マルチユーザ・ドップラーモードをサポートすることが可能であるかどうかについての情報、
ミッドアンブルによって占有される空間時間ストリームの、第2のデバイスによってサポートされることが可能である最大数量、
ミッドアンブルによって占有されるサブキャリアの、第2のデバイスによってサポートされることが可能である最大数量、および
ミッドアンブルがL個のサブキャリアおよびK個の空間時間ストリームを占有するときに第2のデバイスによってサポートされることが可能である変調および符号化方式MCSについての情報であって、LとKの両方は1以上の整数である、情報
のうちの少なくとも1つを含む。
【０２２５】
可能な実装において、ミッドアンブル指示情報は、第1のデバイスによって決定されてプリアンブル内のHE-LTFフィールドを示すために使用される指示情報とは異なる。
【０２２６】
さらに、ミッドアンブル指示情報によって示されるミッドアンブルの持続時間は、HE-LTFフィールドの指示情報によって示されるHE-LTFフィールドの持続時間とは異なる。
【０２２７】
可能な実装において、ミッドアンブル指示情報は、ミッドアンブルの期間フィールドを含み、期間フィールドは、少なくとも2つのビットを占有し、事前設定された少なくとも3つのミッドアンブル期間のうちの1つを示すために使用される。
【０２２８】
可能な実装において、送信ユニットは、具体的には、ミッドアンブルの期間、および／またはHE-LTFシンボルの持続時間を示すために使用される指示情報を、SRPフィールド内の予約済みエントリを通じて第2のデバイスへ送信し、またはHE-LTFシンボルの持続時間を示すために使用される指示情報を、予約済みビットを通じて第2のデバイスへ送信するように構成される。
【０２２９】
可能な実装において、送信ユニットは、第1のデバイスにより、ミッドアンブルを第2のデバイスへ送信するようにさらに構成される。ミッドアンブルは、合意されたミッドアンブル内に含まれる内容をパディングすることによって取得され、パディングの後のミッドアンブルの持続時間はしきい値以上である。
【０２３０】
同じ技術的思想に基づいて、この出願の一実施形態はデバイスをさらに提供する。デバイスは、第2のデバイスとして使用され、上記の方法の実施形態を実現するように構成され得る。図9は、デバイスの概略構造図である。図に表されたように、デバイスは、
第2のデバイスのミッドアンブル処理能力についての情報を第1のデバイスへ送信するように構成された送信ユニット901と、
第1のデバイスによって送信されたミッドアンブル指示情報を受信するように構成された受信ユニット902であって、ミッドアンブル指示情報によって示されるミッドアンブルの持続時間が、第2のデバイスの能力情報に基づいて決定され、受信ユニット902が、指示情報に従ってミッドアンブルを受信するように構成された、受信ユニット902と、を含む。
【０２３１】
可能な実装において、能力情報は、以下、すなわち、
第2のデバイスによってサポートされることが可能であるミッドアンブルの持続時間の最小値、
第2のデバイスがシングルユーザ・ドップラーモードおよび／または拡張距離シングルユーザ・ドップラーモードをサポートすることが可能であるかどうかについての情報、
第2のデバイスがマルチユーザ・ドップラーモードをサポートすることが可能であるかどうかについての情報、
ミッドアンブルによって占有される空間時間ストリームの、第2のデバイスによってサポートされることが可能である最大数量、
ミッドアンブルによって占有されるサブキャリアの、第2のデバイスによってサポートされることが可能である最大数量、および
ミッドアンブルがL個のサブキャリアおよびK個の空間時間ストリームを占有するときに第2のデバイスによってサポートされることが可能である変調および符号化方式MCSについての情報であって、LとKの両方は1以上の整数である、情報
のうちの1つ、またはそれらの組み合わせを含む。
【０２３２】
可能な実装において、ミッドアンブル指示情報は、第1のデバイスによって決定されてプリアンブル内のHE-LTFフィールドを示すために使用される指示情報とは異なる。
【０２３３】
さらに、ミッドアンブル指示情報によって示されるミッドアンブルの持続時間は、HE-LTFフィールドの指示情報によって示されるHE-LTFフィールドの持続時間とは異なる。
【０２３４】
可能な実装において、ミッドアンブル指示情報は、ミッドアンブルの期間フィールドを含み、期間フィールドは、少なくとも2つのビットを占有し、事前設定された少なくとも3つのミッドアンブル期間のうちの1つを示すために使用される。
【０２３５】
可能な実装において、受信ユニットは、具体的には、ミッドアンブルの期間、および／またはHE-LTFシンボルの持続時間を示すために使用される指示情報を、SRPフィールド内の予約済みエントリを通じて第2のデバイスへ送信し、またはHE-LTFシンボルの持続時間を示すために使用される指示情報を、予約済みビットを通じて第2のデバイスへ送信するように構成される。
【０２３６】
可能な実装において、第2のデバイスが第1のデバイスによって送信されたミッドアンブル指示情報を受信した後、以下、すなわち、第1のデバイスによって送信されたミッドアンブルを受信することがさらに含まれる。ミッドアンブルは、合意されたミッドアンブル内に含まれる内容をパディングすることによって取得され、パディングの後のミッドアンブルの持続時間はしきい値以上である。
【０２３７】
同じ技術的思想に基づいて、この出願の一実施形態はデバイスをさらに提供する。デバイスは、第1のデバイスとして使用され、上記の方法の実施形態を実現するように構成され得る。デバイスは、
ミッドアンブル指示情報を決定するように構成された処理ユニットと、
ミッドアンブル指示情報を第2のデバイスへ送信するように構成された送信ユニットと、を含む。ミッドアンブル指示情報は、第1のデバイスによって第2のデバイスへ送信されるプリアンブル内のHE-LTFフィールドの指示情報とは異なる。
【０２３８】
処理ユニットと送信ユニットの間の接続の概略図は図7と類似である。
【０２３９】
可能な実装において、ミッドアンブル指示情報によって示されるミッドアンブル内に含まれるHE-LTFシンボルの持続時間は、HE-LTFフィールドの指示情報によって示されるHE-LTFフィールド内に含まれるHE-LTFシンボルの持続時間とは異なる。
【０２４０】
任意選択で、プリアンブル内のHE-LTFフィールドは、比較的短い持続時間を有するHE-LTFシンボルを使用してよく、一方、それはミッドアンブルが比較的長い持続時間を有するHE-LTFシンボルを使用することを示す。上記の方法において、ミッドアンブルの持続時間についての情報、およびプリアンブル内のHE-LTFフィールドの持続時間についての情報は別々に示され、従って、ミッドアンブルの持続時間への限定は、プリアンブル内のHE-LTFフィールドに影響せず、それにより、プリアンブルのシグナリングオーバーヘッドを低減することを助ける。
【０２４１】
任意選択で、チャネル推定の初期化をより正確にするために、プリアンブル内のHE-LTFフィールドは、比較的長い持続時間を有するHE-LTFシンボルを使用し、または比較的大量のHE-LTFシンボルを使用してよい。他方、ミッドアンブルは、比較的短い持続時間を有するHE-LTFシンボルを使用し、または比較的少量のHE-LTFシンボルを使用する。データ受信デバイスは、チャネル推定の正確さを保証するとともにミッドアンブルのシグナリングオーバーヘッドを低減することを助けるために、ミッドアンブルに基づいて取得されたチャネル推定結果、および初期チャネル推定結果を使用することによって、広範囲にわたる分析を実行する。
【０２４２】
同じ技術的思想に基づいて、この出願の一実施形態はデバイスをさらに提供する。デバイスは、第2のデバイスとして使用され、上記の方法の実施形態を実現するように構成され得る。デバイスは、
第1のデバイスによって送信されたミッドアンブル指示情報を受信するように構成された受信ユニットであって、ミッドアンブル指示情報が、第1のデバイスによって第2のデバイスへ送信される高効率ロング・トレーニング・フィールドHE-LTFの指示情報とは異なり、受信ユニットが、指示情報に従ってミッドアンブルを受信するように構成された、受信ユニットと、
受信されたミッドアンブルに基づいて処理を実行するように構成された処理ユニットと、を含む。
【０２４３】
処理ユニットと送信ユニットの間の接続の概略図は図8と類似である。
【０２４４】
可能な実装において、ミッドアンブル指示情報によって示されるミッドアンブル内に含まれるHE-LTFシンボルの持続時間は、HE-LTFフィールドの指示情報によって示されるHE-LTFフィールド内に含まれるHE-LTFシンボルの持続時間とは異なる。
【０２４５】
同じ技術的思想に基づいて、この出願の一実施形態はデバイスをさらに提供する。デバイスは、第1のデバイスとして使用され、上記の方法の実施形態を実現するように構成され得る。デバイスは、
ミッドアンブル指示情報を決定するように構成された処理ユニットであって、ミッドアンブル指示情報が、ミッドアンブルを受信した後、ミッドアンブルの後の(X+1)番目から(X+M)番目のデータシンボルをミッドアンブルに基づいて復号するように、第2のデバイスに命令するために使用され、Mは、第1のデバイスがM個のデータシンボルを送信した後に、第1のデバイスが毎回ミッドアンブルを送信することを表記し、Xは、第2のデバイスのミッドアンブル処理能力に基づいて事前合意または決定された1以上の整数である、処理ユニットと、
ミッドアンブル指示情報を第2のデバイスへ送信するように構成された送信ユニットと、を含む。
【０２４６】
処理ユニットと送信ユニットの間の接続の概略図は図7と類似である。
【０２４７】
同じ技術的思想に基づいて、この出願の一実施形態はデバイスをさらに提供する。デバイスは、第2のデバイスとして使用され、上記の方法の実施形態を実現するように構成され得る。デバイスは、
ミッドアンブルを受信するように構成された受信ユニットと、
ミッドアンブルに基づいてチャネル推定を実行し、ミッドアンブルの後の(X+1)番目から(X+M)番目のデータシンボルをチャネル推定結果に従って復号するように構成された処理ユニットであって、Mは、第2のデバイスがM個ごとのデータシンボルを受信した後にミッドアンブルを受信することを表記し、Xは、第2のデバイスのミッドアンブル処理能力に基づいて事前合意または決定された1以上の整数である、処理ユニットと、を含む。
【０２４８】
受信ユニットと処理ユニットの間の接続の概略図は図8と類似である。
【０２４９】
同じ技術的思想に基づいて、この出願の一実施形態はデバイスをさらに提供する。デバイスは、第1のデバイスとして使用され、上記の方法の実施形態を実現するように構成され得る。デバイスの概略構造図が図10に表されることが可能であり、これはプロセッサ1001およびトランシーバ1002を含む。
【０２５０】
プロセッサ1001は、トランシーバ1002を使用することによって、上記の方法の実施形態のいずれか1つにおいて第1のデバイスによって実行される方法のステップを実行し得る。
【０２５１】
同じ技術的思想に基づいて、この出願の一実施形態はデバイスをさらに提供する。デバイスは、第2のデバイスとして使用され、上記の方法の実施形態を実現するように構成され得る。デバイスの概略構造図が図11に表されることが可能であり、これはプロセッサ1101およびトランシーバ1102を含む。
【０２５２】
プロセッサ1101は、トランシーバ1102を使用することによって、上記の方法の実施形態のいずれか1つにおいて第2のデバイスによって実行される方法のステップを実行し得る。
【０２５３】
この出願の一実施形態はコンピュータ記憶媒体をさらに提供する。記憶媒体はソフトウェアプログラムを記憶する。ソフトウェアプログラムは、1つ以上のプロセッサに読み取られ、実行されるとき、第1から第10の態様による実施形態のいずれか1つにおける方法を実現することが可能である。
【０２５４】
この出願の実施形態が、方法、システム、またはコンピュータプログラム製品として提供され得ることを、この技術分野の当業者は理解すべきである。従って、この出願は、ハードウェアのみの実施形態、ソフトウェアのみの実施形態、またはソフトウェアとハードウェアの組み合わせを用いた実施形態の形式を使用し得る。その上、この出願は、コンピュータ使用可能プログラムコードを含む1つ以上のコンピュータ使用可能記憶媒体(ディスクメモリ、光メモリ、または同様のものを含むが、それに限定されない)において実現されるコンピュータプログラム製品の形式を使用し得る。
【０２５５】
この出願は、この出願による方法、デバイス(システム)、およびコンピュータプログラム製品のフローチャートおよび／またはブロック図を参照して説明されている。コンピュータプログラム命令が、フローチャートおよび／またはブロック図における各プロセスおよび／または各ブロック、および、フローチャートおよび／またはブロック図におけるプロセスおよび／またはブロックの組み合わせを実現するために使用され得ることが理解されるべきである。これらのコンピュータプログラム命令は、機械を生成するために、汎用コンピュータ、特殊用途コンピュータ、組み込みプロセッサ、または任意の他のプログラム可能なデータ処理デバイスのプロセッサのために提供されてよく、それによって、任意の他のプログラム可能なデータ処理デバイスのコンピュータまたはプロセッサによって実行される命令は、フローチャート内の1つ以上のプロセスにおける、および／またはブロック図内の1つ以上のブロックにおける、特定の機能を実現するための装置を生成する。
【０２５６】
これらのコンピュータプログラム命令は、特定の方式で作動するようにコンピュータまたは任意の他のプログラム可能なデータ処理デバイスに命令することが可能であるコンピュータ読み取り可能なメモリ内に記憶されてよく、それによって、コンピュータ読み取り可能なメモリ内に記憶された命令は、命令装置を含む人工物を生成する。命令装置は、フローチャート内の1つ以上のプロセスにおける、および／またはブロック図内の1つ以上のブロックにおける特定の機能を実現する。
【０２５７】
これらのコンピュータプログラム命令は、コンピュータまたは別のプログラム可能なデータ処理デバイス上にロードされてよく、それによって、一連の動作およびステップがコンピュータまたは別のプログラム可能なデバイス上で実行され、それにより、コンピュータで実現された処理を生成する。従って、コンピュータまたは別のプログラム可能なデバイスにおいて実行される命令は、フローチャート内の1つ以上のプロセスにおける、および／またはブロック図内の1つ以上のブロックにおける特定の機能を実現するためのステップを提供する。
【０２５８】
明らかに、この技術分野の当業者は、この出願の範囲から逸脱することなく、この出願に様々な修正および変形を行うことが可能である。このようにして、この出願は、それらがこの出願の請求項によって規定される保護の範囲内に入るという条件で、この出願のこれらの修正および変形をカバーすることが意図される。
【符号の説明】
【０２５９】
701  処理ユニット
702  送信ユニット
801  受信ユニット
802  処理ユニット
901  送信ユニット
902  受信ユニット
1001  プロセッサ
1002  トランシーバ
1101  プロセッサ
1102  トランシーバ
【図１】
2020532244.tif 000023
【図２】
2020532244.tif 000024
【図３】
2020532244.tif 000025
【図４】
2020532244.tif 000026
【図５】
2020532244.tif 000027
【図６】
2020532244.tif 000028
【図７】
2020532244.tif 000029
【図８】
2020532244.tif 000030
【図９】
2020532244.tif 000031
【図１０】
2020532244.tif 000032
【図１１】
2020532244.tif 000033
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
ミッドアンブル指示方法であって、
第1のデバイスにより、ミッドアンブル指示情報を第2のデバイスへ送信するステップであって、前記ミッドアンブル指示情報によって示されるミッドアンブル内に備えられた高効率ロング・トレーニング・フィールド(HE-LTF)シンボルの持続時間が、利用可能な集合に属する、ステップ
を備えるミッドアンブル指示方法。
【請求項２】
前記利用可能な集合が、以下、すなわち、
4つの基本シンボル持続時間である、ガードインターバル(GI)部分を除く前記HE-LTFシンボルの前記持続時間、および0.8μsであるGIの持続時間、
4つの基本シンボル持続時間である、GI部分を除く前記HE-LTFシンボルの前記持続時間、および1.6μsであるGIの持続時間、
4つの基本シンボル持続時間である、GI部分を除く前記HE-LTFシンボルの前記持続時間、および3.2μsであるGIの持続時間、
2つの基本シンボル持続時間である、GI部分を除く前記HE-LTFシンボルの前記持続時間、および0.8μsであるGIの持続時間、
2つの基本シンボル持続時間である、GI部分を除く前記HE-LTFシンボルの前記持続時間、および1.6μsであるGIの持続時間、および
2つの基本シンボル持続時間である、GI部分を除く前記HE-LTFシンボルの前記持続時間、および3.2μsであるGIの持続時間
のうちの1つ、またはそれらの任意の組み合わせを備える、請求項1に記載の方法。
【請求項３】
ミッドアンブル受信方法であって、
第2のデバイスにより、第1のデバイスによって送信されたミッドアンブル指示情報を受信するステップと、
前記第2のデバイスにより、前記ミッドアンブル指示情報によって示されるミッドアンブル内に備えられた高効率ロング・トレーニング・フィールド(HE-LTF)シンボルの持続時間が利用可能な集合に属するときのみ、受信されたミッドアンブルに基づいてチャネル推定を実行するステップと、
を備えるミッドアンブル受信方法。
【請求項４】
前記利用可能な集合が、以下、すなわち、
4つの基本シンボル持続時間である、ガードインターバル(GI)部分を除く前記HE-LTFシンボルの前記持続時間、および0.8μsであるGIの持続時間、
4つの基本シンボル持続時間である、GI部分を除く前記HE-LTFシンボルの前記持続時間、および1.6μsであるGIの持続時間、
4つの基本シンボル持続時間である、GI部分を除く前記HE-LTFシンボルの前記持続時間、および3.2μsであるGIの持続時間、
2つの基本シンボル持続時間である、GI部分を除く前記HE-LTFシンボルの前記持続時間、および0.8μsであるGIの持続時間、
2つの基本シンボル持続時間である、GI部分を除く前記HE-LTFシンボルの前記持続時間、および1.6μsであるGIの持続時間、および
2つの基本シンボル持続時間である、GI部分を除く前記HE-LTFシンボルの前記持続時間、および3.2μsであるGIの持続時間
のうちの1つ、またはそれらの組み合わせを備える、請求項3に記載の方法。
【請求項５】
ミッドアンブル指示方法であって、
第1のデバイスにより、ミッドアンブル指示情報を第2のデバイスへ送信するステップであって、前記ミッドアンブル指示情報によって示されるミッドアンブルの持続時間がしきい値以上であり、前記しきい値が前記第2のデバイスの処理能力に関係する、ステップ
を備えるミッドアンブル指示方法。
【請求項６】
前記ミッドアンブル指示情報が、前記ミッドアンブル内に備えられた高効率ロング・トレーニング・フィールド(HE-LTF)シンボルの数量を示すために使用される指示情報、およびHE-LTFシンボルの持続時間を示すために使用される指示情報を備え、前記HE-LTFシンボルの前記持続時間とHE-LTFシンボルの前記数量との積が事前設定されたしきい値以上であり、または
前記ミッドアンブル指示情報が、前記ミッドアンブルによって使用される空間時間ストリームの数量を示すために使用される指示情報およびHE-LTFシンボルの持続時間を示すために使用される指示情報を備える、前記ミッドアンブルの前記持続時間の指示情報を備え、前記HE-LTFシンボルの前記持続時間と前記空間時間ストリームに対応するHE-LTFシンボルの数量との積が事前設定されたしきい値以上である、請求項5に記載の方法。
【請求項７】
前記ミッドアンブル指示情報が、少なくとも、HE-LTFの持続時間およびガードインターバル(GI)の持続時間を示すために使用される指示情報を備え、
前記HE-LTFの前記持続時間が、2つまたは4つの基本シンボル持続時間である、請求項5または6に記載の方法。
【請求項８】
前記ミッドアンブル指示情報が、前記第1のデバイスによって決定されてプリアンブル内のHE-LTFフィールドを示すために使用される指示情報とは異なる、請求項5から7のいずれか一項に記載の方法。
【請求項９】
前記ミッドアンブル指示情報が、前記ミッドアンブルの期間フィールドを備え、前記期間フィールドが、少なくとも2つのビットを占有し、事前設定された少なくとも3つのミッドアンブル期間のうちの1つを示すために使用される、請求項5から8のいずれか一項に記載の方法。
【請求項１０】
第1のデバイスにより、ミッドアンブル指示情報を第2のデバイスへ送信する前記ステップが、
前記第1のデバイスにより、前記ミッドアンブルの期間、および／または前記HE-LTFシンボルの前記持続時間を示すために使用される前記指示情報を、空間再使用パラメータ(SRP)フィールド内の予約済みエントリを通じて前記第2のデバイスへ送信するステップ、または
前記第1のデバイスにより、前記HE-LTFシンボルの前記持続時間を示すために使用される前記指示情報を、予約済みビットを通じて前記第2のデバイスへ送信するステップ
を備える、請求項5から9のいずれか一項に記載の方法。
【請求項１１】
第1のデバイスにより、ミッドアンブル指示情報を第2のデバイスへ送信する前記ステップの前に、前記方法が、
前記第1のデバイスにより、前記第2のデバイスのミッドアンブル処理能力についての情報を取得するステップと、
前記第1のデバイスにより、前記能力情報に基づいて前記しきい値を決定するステップと、
をさらに備える、請求項5から10のいずれか一項に記載の方法。
【請求項１２】
第1のデバイスにより、ミッドアンブル指示情報を第2のデバイスへ送信する前記ステップの後、前記方法が、
前記第1のデバイスにより、ミッドアンブルを前記第2のデバイスへ送信するステップであって、前記ミッドアンブルが、合意されたミッドアンブル内に備えられた内容をパディングすることによって取得され、パディングの後の前記ミッドアンブルの持続時間が前記しきい値以上である、ステップをさらに備える、請求項5から11のいずれか一項に記載の方法。
【請求項１３】
ミッドアンブル受信方法であって、
第2のデバイスにより、第1のデバイスによって送信されたミッドアンブル指示情報を受信するステップと、
前記第2のデバイスにより、前記ミッドアンブル指示情報によって示されるミッドアンブルの持続時間がしきい値以上であるときのみ、受信されたミッドアンブルに基づいてチャネル推定を実行するステップであって、前記しきい値が前記第2のデバイスの処理能力に関係する、ステップと、
を備えるミッドアンブル受信方法。
【請求項１４】
第2のデバイスにより、第1のデバイスによって送信されたミッドアンブル指示情報を受信する前記ステップの前に、前記方法が、
前記第2のデバイスにより、前記第2のデバイスのミッドアンブル処理能力についての情報を、前記第1のデバイスへ送信するステップ
をさらに備える、請求項13に記載の方法。
【請求項１５】
ミッドアンブル指示方法であって、
第1のデバイスにより、第2のデバイスのミッドアンブル処理能力についての情報を取得するステップと、
前記第1のデバイスにより、ミッドアンブル指示情報を前記第2のデバイスへ送信するステップであって、前記ミッドアンブル指示情報によって示されるミッドアンブルの持続時間が、前記第2のデバイスの前記能力情報に基づいて決定される、ステップと、
を備えるミッドアンブル指示方法。
【請求項１６】
前記能力情報が、以下の情報、すなわち、
前記第2のデバイスによってサポートされることが可能である前記ミッドアンブルの前記持続時間の最小値、
前記第2のデバイスがシングルユーザ・ドップラーモードおよび／または拡張距離シングルユーザ・ドップラーモードをサポートすることが可能であるかどうかについての情報、
前記第2のデバイスがマルチユーザ・ドップラーモードをサポートすることが可能であるかどうかについての情報、
前記ミッドアンブルによって占有される空間時間ストリームの、前記第2のデバイスによってサポートされることが可能である最大数量、
前記ミッドアンブルによって占有されるサブキャリアの、前記第2のデバイスによってサポートされることが可能である最大数量、および
前記ミッドアンブルがL個のサブキャリアおよびK個の空間時間ストリームを占有するときに前記第2のデバイスによってサポートされることが可能である変調および符号化方式(MCS)についての情報であって、LとKの両方が1以上の整数である、情報
のうちの少なくとも1つを備える、請求項15に記載の方法。
【請求項１７】
ミッドアンブル受信方法であって、
第2のデバイスにより、前記第2のデバイスのミッドアンブル処理能力についての情報を、第1のデバイスへ送信するステップと、
前記第2のデバイスにより、前記第1のデバイスによって送信されたミッドアンブル指示情報を受信するステップであって、前記ミッドアンブル指示情報によって示されるミッドアンブルの持続時間が、前記第2のデバイスの前記能力情報に基づいて決定される、ステップと、
前記第2のデバイスにより、前記指示情報に従って前記ミッドアンブルを受信するステップと、
備えるミッドアンブル受信方法。
【請求項１８】
前記能力情報が、以下の情報、すなわち、
前記第2のデバイスによってサポートされることが可能である前記ミッドアンブルの前記持続時間の最小値、
前記第2のデバイスがシングルユーザ・ドップラーモードおよび／または拡張距離シングルユーザ・ドップラーモードをサポートすることが可能であるかどうかについての情報、
前記第2のデバイスがマルチユーザ・ドップラーモードをサポートすることが可能であるかどうかについての情報、
前記ミッドアンブルによって占有される空間時間ストリームの、前記第2のデバイスによってサポートされることが可能である最大数量、
前記ミッドアンブルによって占有されるサブキャリアの、前記第2のデバイスによってサポートされることが可能である最大数量、および
前記ミッドアンブルがL個のサブキャリアおよびK個の空間時間ストリームを占有するときに前記第2のデバイスによってサポートされることが可能である変調および符号化方式(MCS)についての情報であって、LとKの両方が1以上の整数である、情報
のうちの少なくとも1つを備える、請求項17に記載の方法。
【請求項１９】
ミッドアンブル指示方法であって、
第1のデバイスにより、ミッドアンブル指示情報を第2のデバイスへ送信するステップであって、前記ミッドアンブル指示情報が、前記第1のデバイスによって前記第2のデバイスへ送信されるプリアンブル内の高効率ロング・トレーニング・フィールド(HE-LTF)の指示情報とは異なる、ステップ
を備えるミッドアンブル指示方法。
【請求項２０】
前記ミッドアンブル指示情報によって示されるミッドアンブル内に備えられたHE-LTFシンボルの持続時間が、前記プリアンブル内のHE-LTFの指示情報によって示されるHE-LTFシンボルの持続時間とは異なる、請求項19に記載の方法。
【請求項２１】
ミッドアンブル受信方法であって、
第2のデバイスにより、第1のデバイスによって送信されたミッドアンブル指示情報を受信するステップであって、前記ミッドアンブル指示情報が、前記第1のデバイスによって前記第2のデバイスへ送信される高効率ロング・トレーニング・フィールド(HE-LTF)の指示情報とは異なる、ステップと、
前記第2のデバイスにより、前記指示情報に従って前記ミッドアンブルを受信するステップと、
を備えるミッドアンブル受信方法。
【請求項２２】
前記ミッドアンブル指示情報によって示されるミッドアンブル内に備えられたHE-LTFシンボルの持続時間が、プリアンブル内のHE-LTFの指示情報によって示されるHE-LTFシンボルの持続時間とは異なる、請求項21に記載の方法。
【請求項２３】
ミッドアンブル指示方法であって、
第1のデバイスにより、ミッドアンブル指示情報を第2のデバイスへ送信するステップであって、前記ミッドアンブル指示情報が、ミッドアンブルを受信した後、前記ミッドアンブルの後の(X+1)番目から(X+M)番目のデータシンボルを前記ミッドアンブルに基づいて復号するように、前記第2のデバイスに命令するために使用され、
Mは、前記第1のデバイスがM個ごとのデータシンボルを送信した後にミッドアンブルを送信することを表記し、Xは、前記第2のデバイスのミッドアンブル処理能力に基づいて事前合意または決定された1以上の整数である、ステップ
を備えるミッドアンブル指示方法。
【請求項２４】
ミッドアンブル受信方法であって、
第2のデバイスにより、ミッドアンブルを受信するステップと、
前記第2のデバイスにより、前記ミッドアンブルに基づいてチャネル推定を実行するステップと、
前記第2のデバイスにより、前記ミッドアンブルの後の(X+1)番目から(X+M)番目のデータシンボルをチャネル推定結果に基づいて復号するステップであって、
Mは、前記第2のデバイスがM個ごとのデータシンボルを受信した後にミッドアンブルを受信することを表記し、Xは、前記第2のデバイスのミッドアンブル処理能力に基づいて事前合意または決定された1以上の整数である、ステップと、
を備えるミッドアンブル受信方法。
【請求項２５】
デバイスであって、前記デバイスが第1のデバイスとして使用され、
ミッドアンブル指示情報を決定するように構成された処理ユニットであって、前記ミッドアンブル指示情報によって示されるミッドアンブル内に備えられた高効率ロング・トレーニング・フィールド(HE-LTF)シンボルの持続時間が、利用可能な集合に属する、処理ユニットと、
前記ミッドアンブル指示情報を第2のデバイスへ送信するように構成された送信ユニットと、
を備えるデバイス。
【請求項２６】
前記利用可能な集合が、以下、すなわち、
4つの基本シンボル持続時間である、ガードインターバル(GI)部分を除く前記HE-LTFシンボルの前記持続時間、および0.8μsであるGIの持続時間、
4つの基本シンボル持続時間である、GI部分を除く前記HE-LTFシンボルの前記持続時間、および1.6μsであるGIの持続時間、
4つの基本シンボル持続時間である、GI部分を除く前記HE-LTFシンボルの前記持続時間、および3.2μsであるGIの持続時間、
2つの基本シンボル持続時間である、GI部分を除く前記HE-LTFシンボルの前記持続時間、および0.8μsであるGIの持続時間、
2つの基本シンボル持続時間である、GI部分を除く前記HE-LTFシンボルの前記持続時間、および1.6μsであるGIの持続時間、および
2つの基本シンボル持続時間である、GI部分を除く前記HE-LTFシンボルの前記持続時間、および3.2μsであるGIの持続時間
のうちの1つ、またはそれらの任意の組み合わせを備える、請求項25に記載のデバイス。
【請求項２７】
デバイスであって、
第1のデバイスによって送信されたミッドアンブル指示情報を受信するように構成された受信ユニットと、
前記ミッドアンブル指示情報によって示されるミッドアンブル内に備えられた高効率ロング・トレーニング・フィールド(HE-LTF)シンボルの持続時間が利用可能な集合に属するときのみ、受信されたミッドアンブルに基づいてチャネル推定を実行するように構成された処理ユニットと、
を備えるデバイス。
【請求項２８】
前記利用可能な集合が、以下、すなわち、
4つの基本シンボル持続時間である、ガードインターバル(GI)部分を除く前記HE-LTFシンボルの前記持続時間、および0.8μsであるGIの持続時間、
4つの基本シンボル持続時間である、GI部分を除く前記HE-LTFシンボルの前記持続時間、および1.6μsであるGIの持続時間、
4つの基本シンボル持続時間である、GI部分を除く前記HE-LTFシンボルの前記持続時間、および3.2μsであるGIの持続時間、
2つの基本シンボル持続時間である、GI部分を除く前記HE-LTFシンボルの前記持続時間、および0.8μsであるGIの持続時間、
2つの基本シンボル持続時間である、GI部分を除く前記HE-LTFシンボルの前記持続時間、および1.6μsであるGIの持続時間、および
2つの基本シンボル持続時間である、GI部分を除く前記HE-LTFシンボルの前記持続時間、および3.2μsであるGIの持続時間
のうちの1つ、またはそれらの任意の組み合わせを備える、請求項27に記載のデバイス。
【請求項２９】
デバイスであって、前記デバイスが第1のデバイスとして使用され、
ミッドアンブル指示情報を決定するように構成された処理ユニットであって、前記ミッドアンブル指示情報によって示されるミッドアンブルの持続時間がしきい値以上であり、前記しきい値が第2のデバイスの処理能力に関係する、処理ユニットと、
前記ミッドアンブル指示情報を前記第2のデバイスへ送信するように構成された送信ユニットと、
を備えるデバイス。
【請求項３０】
デバイスであって、前記デバイスが第2のデバイスとして使用され、
第1のデバイスによって送信されたミッドアンブル指示情報を受信するように構成された受信ユニットと、
前記ミッドアンブル指示情報によって示されるミッドアンブルの持続時間がしきい値以上であるときのみ、受信されたミッドアンブルに基づいてチャネル推定を実行するように構成された処理ユニットであって、前記しきい値が前記第2のデバイスの処理能力に関係する、処理ユニットと、
を備えるデバイス。
【請求項３１】
デバイスであって、前記デバイスが第1のデバイスとして使用され、
第2のデバイスのミッドアンブル処理能力についての情報を取得し、前記能力情報に基づいてミッドアンブル指示情報を決定するように構成された処理ユニットと、
前記ミッドアンブル指示情報を前記第2のデバイスへ送信するように構成された送信ユニットと、
を備えるデバイス。
【請求項３２】
デバイスであって、前記デバイスが第2のデバイスとして使用され、
前記第2のデバイスのミッドアンブル処理能力についての情報を第1のデバイスへ送信するように構成された送信ユニットと、
前記第1のデバイスによって送信されたミッドアンブル指示情報を受信するように構成された受信ユニットであって、前記ミッドアンブル指示情報によって示されるミッドアンブルの持続時間が、前記第2のデバイスの前記能力情報に基づいて決定され、前記受信ユニットが、前記指示情報に従って前記ミッドアンブルを受信するように構成された、受信ユニットと、
を備えるデバイス。
【請求項３３】
デバイスであって、前記デバイスが第1のデバイスとして使用され、
ミッドアンブル指示情報を決定するように構成された処理ユニットと、
前記ミッドアンブル指示情報を第2のデバイスへ送信するように構成された送信ユニットであって、
前記ミッドアンブル指示情報が、前記第1のデバイスによって前記第2のデバイスへ送信されるプリアンブル内の高効率ロング・トレーニング・フィールド(HE-LTF)の指示情報とは異なる、送信ユニットと、
を備えるデバイス。
【請求項３４】
デバイスであって、前記デバイスが第2のデバイスとして使用され、
第1のデバイスによって送信されたミッドアンブル指示情報を受信するように構成された受信ユニットであって、前記ミッドアンブル指示情報が、前記第1のデバイスによって前記第2のデバイスへ送信される高効率ロング・トレーニング・フィールド(HE-LTF)の指示情報とは異なり、前記受信ユニットが、前記指示情報に従ってミッドアンブルを受信するように構成された、受信ユニットと、
前記受信されたミッドアンブルに基づいて処理を実行するように構成された処理ユニットと、
を備えるデバイス。
【請求項３５】
デバイスであって、前記デバイスが第1のデバイスとして使用され、
ミッドアンブル指示情報を決定するように構成された処理ユニットであって、前記ミッドアンブル指示情報が、ミッドアンブルを受信した後、前記ミッドアンブルの後の(X+1)番目から(X+M)番目のデータシンボルを前記ミッドアンブルに基づいて復号するように、第2のデバイスに命令するために使用され、Mは、前記第1のデバイスがM個ごとのデータシンボルを送信した後にミッドアンブルを送信することを表記し、Xは、前記第2のデバイスのミッドアンブル処理能力に基づいて事前合意または決定された1以上の整数である、処理ユニットと、
前記ミッドアンブル指示情報を前記第2のデバイスへ送信するように構成された送信ユニットと、
を備えるデバイス。
【請求項３６】
デバイスであって、前記デバイスが第2のデバイスとして使用され、
ミッドアンブルを受信するように構成された受信ユニットと、
前記ミッドアンブルに基づいてチャネル推定を実行し、前記ミッドアンブルの後の(X+1)番目から(X+M)番目のデータシンボルをチャネル推定結果に基づいて復号するように構成された処理ユニットであって、Mは、前記第2のデバイスがM個ごとのデータシンボルを受信した後にミッドアンブルを受信することを表記し、Xは、前記第2のデバイスのミッドアンブル処理能力に基づいて事前合意または決定された1以上の整数である、処理ユニットと、
を備えるデバイス。
【国際調査報告】
2020532244.tif 000034
2020532244.tif 000035
2020532244.tif 000036
2020532244.tif 000037